(57)【特許請求の範囲】
【請求項１】
モバイル計算装置からの入力を介して照明を調整する方法であって、
第１ユーザジェスチャデータ基準出力及び第２ユーザジェスチャデータ基準出力を提供するステップと、
ユーザのモバイル計算装置との接続を確立するステップと、
前記ユーザによる空間内での前記モバイル計算装置の少なくとも１つの物理的移動に応答して該モバイル計算装置からユーザジェスチャデータを受信するステップであって、該ユーザジェスチャデータは前記第１ユーザジェスチャデータ基準出力と前記第２ユーザジェスチャデータ基準出力との比較に基づくステップと、
前記ユーザジェスチャデータに基づいて、ＬＥＤ型照明ユニットの１以上のＬＥＤにより生成される光出力に対する照明特性調整を決定するステップと、
前記ユーザジェスチャデータに応答して前記照明特性調整を実施するステップと、
を有する、方法。
【請求項２】
前記モバイル計算装置から照明特性調整完了指示情報を受信するステップ及び該照明特性調整完了指示情報に応答して前記照明特性調整を固定するステップを更に有する、請求項１に記載の方法。
【請求項３】
前記第１ユーザジェスチャデータ基準出力及び前記第２ユーザジェスチャデータ基準出力が複数の符号化光出力を含み、前記ユーザジェスチャデータが、前記モバイル計算装置の光学感知装置における前記符号化光出力の少なくとも２つの受入を示す、請求項１に記載の方法。
【請求項４】
前記第１ユーザジェスチャデータ基準出力及び前記第２ユーザジェスチャデータ基準出力が前記ＬＥＤのうちの第１ＬＥＤにより発生される第１符号化光出力及び前記ＬＥＤのうちの第２ＬＥＤにより発生される第２符号化光出力を含み、前記ユーザジェスチャデータが該第１符号化光出力及び第２符号化光出力の受入を示す、請求項３に記載の方法。
【請求項５】
前記１以上のＬＥＤに対する前記照明特性調整を決定するステップが、前記第１符号化光出力の第１強度及び前記第２符号化光出力の第２強度に基づくものである、請求項４に記載の方法。
【請求項６】
前記第１ユーザジェスチャデータ基準出力及び前記第２ユーザジェスチャデータ基準出力が少なくとも１つの磁場を含み、前記ユーザジェスチャデータが前記モバイル計算装置における前記磁場の強度を示す、請求項１に記載の方法。
【請求項７】
前記モバイル計算装置から目標領域データを受信するステップを更に有し、該目標領域データは前記１以上のＬＥＤの光出力に対する目標領域を示し、前記１以上のＬＥＤに対する前記照明特性調整を決定するステップが前記光出力を前記目標領域内に維持するために前記目標領域データに基づくものである、請求項１に記載の方法。
【請求項８】
前記モバイル計算装置との接続を確立するステップが前記ＬＥＤ型照明ユニットに関する識別子を発生するステップを有し、該識別子が前記モバイル計算装置により読み取り可能である、請求項１に記載の方法。
【請求項９】
前記空間が前記ＬＥＤ型照明ユニットの前記１以上のＬＥＤからの光出力の経路内にある、請求項１に記載の方法。
【請求項１０】
照明を調整するために少なくとも１つの照明コントローラにユーザジェスチャデータを供給する方法であって、
ＬＥＤ型照明ユニットの１以上のＬＥＤを制御する少なくとも１つの照明コントローラとの接続を確立するステップと、
モバイル計算装置の少なくとも１つのセンサを介して物理的移動データを識別するステップと、
前記物理的移動データに基づいてユーザジェスチャデータを決定するステップと、
前記ユーザジェスチャデータを前記照明コントローラに供給して、前記１以上のＬＥＤからの光出力に対する照明特性調整を前記ユーザジェスチャデータに基づいて実行するステップと、
前記モバイル計算装置を介して受信されるアンカ領域入力に基づいて目標領域データを決定するステップであって、該目標領域データは、前記１以上のＬＥＤの光出力に対する目標領域を示し、前記アンカ領域入力が受信された際の前記モバイル計算装置の位置に基づくステップと、
を有する、方法。
【請求項１１】
照明特性調整完了指示情報を識別するステップ、及び該照明特性調整完了指示情報を前記照明コントローラに供給して前記１以上のＬＥＤに対する前記照明特性調整を固定するステップを更に有する、請求項１０に記載の方法。
【請求項１２】
前記センサを介して少なくとも１つのユーザジェスチャデータ基準出力を受入するステップを更に有し、前記物理的移動データが該ユーザジェスチャデータ基準出力に基づくものである、請求項１０に記載の方法。
【請求項１３】
前記ユーザジェスチャデータ基準出力が複数の符号化光出力を含み、前記センサは光学感知装置を含み、前記物理的移動データが該光学感知装置における前記符号化光出力の少なくとも１つの受入に基づくものである、請求項１２に記載の方法。
【請求項１４】
前記物理的移動が、前記照明特性調整が前記ユーザジェスチャデータに基づいて実施される前記１以上のＬＥＤからの光出力の経路にある、請求項１０に記載の方法。
【請求項１５】
メモリと、該メモリに記憶された命令を実行するコントローラとを含む照明装置であって、前記命令が、
ユーザのモバイル計算装置との接続を確立し、
前記ユーザによる空間内での前記モバイル計算装置の少なくとも１つの物理的移動に応答して該モバイル計算装置からユーザジェスチャデータを受信し、
前記ユーザジェスチャデータに基づいて、ＬＥＤ型照明ユニットの１以上のＬＥＤにより生成される光出力に対する照明特性調整を決定し、
前記ユーザジェスチャデータに応答して前記照明特性調整を実施し、
前記モバイル計算装置を介して受信されるアンカ領域入力に基づいて目標領域データを決定し、該目標領域データは、前記１以上のＬＥＤの光出力に対する目標領域を示し、前記アンカ領域入力が受信された際の前記モバイル計算装置の位置に基づく、
ための命令を有する、照明装置。
【発明の詳細な説明】
【技術分野】
【０００１】
［０００１］本発明は、広くは照明の制御に関する。更に詳細には、ここに開示される本発明の種々の方法及び装置は光出力の１以上の特性をモバイル計算装置のユーザ操作に基づいて制御することに関する。
【背景技術】
【０００２】
［０００２］デジタル照明技術、即ち発光ダイオード（ＬＥＤ）等の半導体光源に基づく照明は、伝統的な蛍光灯、ＨＩＤ及び白熱電球に対する発展性のある代替品を提供している。ＬＥＤの機能的利点及び利益は、高いエネルギ変換及び光学効率、耐久性、低運転コスト並びに多くの他のものを含む。ＬＥＤ技術における近年の進歩は、多くの用途において種々の照明効果を可能にするような効率的且つ丈夫な全スペクトル光源を提供している。これらの光源を実施化した照明器具の幾つかは、例えば赤、緑及び青等の異なる色（カラー）を生成することが可能な１以上のＬＥＤ並びに斯かるＬＥＤの出力を独立に制御して種々のカラー及び色変化照明効果を発生させるプロセッサを含む照明モジュール（例えば、米国特許第6,016,038号及び同第6,211,626号に詳細に説明されており、これら文献は参照により本明細書に組み込まれるものとする）を特徴としている。
【０００３】
［０００３］ＬＥＤ型光源を含むシステムのような照明システムにおいては、当該照明システムの１以上の光源に対して制御を有することが望ましい。例えば、複数の光源のうちの何れが照明されるかの制御、及び／又は斯かる光源の１以上における１以上の照明パラメータの制御を有することが望ましいであろう。例えば、１以上のＬＥＤ型光源により供給される光出力のカラー、色温度、輝度、ビーム幅及び／又はビーム方向を制御することが望まれ得る。
【０００４】
［０００４］１以上の光源を構成（configuration）する間における直接的指定は、照明パラメータの指定を可能にする。しかしながら、直接的指定は、適用される照明を精細に調整する能力の不足、新たに導入される環境的物体に適合する柔軟性の欠如、及び／又は固有の物体に対する照明パラメータの調整の不足等の１以上の欠点を被り得る。物体の感知及び該感知された物体へ照明を向けることも、照明パラメータの自動的指定を可能にすることができる。しかしながら、このような指定は、適用される照明を精細に調整する能力の不足、及び／又は固有の物体に対する照明パラメータの調整の不足等の１以上の欠点を被り得る。直接的指定、自動的指定及び／又は他の指定の更なる及び／又は他の欠点を提示することもできる。
【発明の概要】
【発明が解決しようとする課題】
【０００５】
［０００５］従って、当業技術においては、光出力の１以上の特性の制御を可能にすると共に、オプションとして既存の装置及び／又は方法の１以上の欠点を克服するような方法及び装置を提供することの必要性が存在する。  
【課題を解決するための手段】
【０００６】
［０００６］本開示は照明制御に関するものである。更に詳細には、ここに開示される本発明の種々の方法及び装置は、光出力の１以上の特性を携帯電話等のモバイル計算装置のユーザによる操作に基づいて制御することに関するものである。例えば、幾つかの実施態様において、モバイル計算装置からのデータを、１以上のＬＥＤに対する照明特性調整を該データに基づいて実施するために利用することができる。該データは、ユーザによる空間内での上記モバイル計算装置の物理的移動に応答するユーザジェスチャデータとすることができる。
【０００７】
［０００７］一般的に言うと、一態様において、本発明はモバイル計算装置からの入力を介して照明を調整する方法に関するもので、該方法は：ユーザのモバイル計算装置との接続を確立するステップと；前記ユーザによる空間内での前記モバイル計算装置の少なくとも１つの物理的移動に応答して該モバイル計算装置からユーザジェスチャデータを受信するステップと；前記ユーザジェスチャデータに基づいて、ＬＥＤ型照明ユニットの１以上のＬＥＤにより生成される光出力に対する照明特性調整を決定するステップと；前記ユーザジェスチャデータに応答して前記照明特性調整を実施するステップと；を含む。
【０００８】
［０００８］幾つかの実施態様において、上記方法は、前記モバイル計算装置から照明特性調整完了指示情報を受信するステップ、及び該照明特性調整完了指示情報に応答して前記照明特性調整を固定するステップを更に有する。
【０００９】
［０００９］幾つかの実施態様において、上記方法は、前記モバイル計算装置から照明特性調整開始指示情報を受信するステップ、及び該照明特性調整開始指示情報に応答して前記照明特性調整を実施するステップを更に有する。
【００１０】
［００１０］幾つかの実施態様において、上記方法は、少なくとも１つのユーザジェスチャデータ基準出力を供給するステップを更に有し、前記ユーザジェスチャデータは該ユーザジェスチャデータ基準出力に基づくものである。これら実施態様の幾つかのバージョンにおいて、前記ユーザジェスチャデータ基準出力は少なくとも１つの磁場を含み、前記ユーザジェスチャデータは前記モバイル計算装置における前記磁場の強度を示す。これら実施態様の幾つかのバージョンにおいて、前記ユーザジェスチャデータ基準出力は複数の符号化光出力を含み、前記ユーザジェスチャデータは、前記モバイル計算装置の光学感知装置における前記符号化光出力の少なくとも１つの受入を示す。前記ユーザジェスチャデータ基準出力は、オプションとして、前記ＬＥＤのうちの第１ＬＥＤにより発生される第１符号化光出力及び前記ＬＥＤのうちの第２ＬＥＤにより発生される第２符号化光出力を含み、前記ユーザジェスチャデータは該第１符号化光出力及び第２符号化光出力の受入を示すことができる。前記ユーザジェスチャデータは、前記第１符号化光出力及び第２符号化光出力の同時的な受入を示すことができる。前記ユーザジェスチャデータは、前記第１符号化光出力の第１強度及び前記第２符号化光出力の第２強度を示すことができる。前記１以上のＬＥＤに対する前記照明特性調整を決定するステップは、前記第１強度及び前記第２強度に基づくものとすることができる。
【００１１】
［００１１］幾つかの実施態様において、上記方法は、前記モバイル計算装置から目標領域データを受信するステップを更に有し、該目標領域データは前記１以上のＬＥＤの光出力に対する目標領域を示し、前記１以上のＬＥＤに対する前記照明特性調整を決定するステップは、前記光出力を前記目標領域内に維持するために前記目標領域データに基づくものである。
【００１２】
［００１２］幾つかの実施態様において、上記方法は、前記モバイル計算装置との接続を終了するステップを更に有する。
【００１３】
［００１３］幾つかの実施態様において、前記モバイル計算装置との接続を確立するステップは前記ＬＥＤ型照明ユニットに関する識別子を発生するステップを有し、該識別子は前記モバイル計算装置により読み取り可能である。これら実施態様の幾つかのバージョンにおいて、前記識別子は前記ＬＥＤの１以上の光出力における符号化光識別子及び／又は近接通信識別子を含む。
【００１４】
［００１４］幾つかの実施態様において、前記空間は、前記ＬＥＤ型照明ユニットの前記１以上のＬＥＤからの光出力の経路内にある。
【００１５】
［００１５］幾つかの実施態様において、上記方法は、前記モバイル計算装置の更なる物理的移動に応答して該モバイル計算装置から追加のユーザジェスチャデータを受信するステップと；該追加のユーザジェスチャデータに基づいて、ＬＥＤ型照明ユニットの１以上のＬＥＤに対する更なる照明特性調整を行うことができないと判定するステップと；該更なる照明特性調整を行うことができないことを前記ユーザに警告するステップと；を更に有する。これら実施態様の幾つかのバージョンにおいて、前記更なる照明特性調整を行うことができないことを前記ユーザに警告するステップは、前記モバイル計算装置を介して聴覚的、視覚的及び触覚的警告のうちの少なくとも１つを実行するために該モバイル計算装置にフィードバックコマンドを送信するステップを含む。
【００１６】
［００１６］一般的に言うと、他の態様において、本発明は照明を調整するために少なくとも１つの照明コントローラにユーザジェスチャデータを供給する方法に関するもので、該方法は：ＬＥＤ型照明ユニットの１以上のＬＥＤを制御する少なくとも１つの照明コントローラとの接続を確立するステップと；モバイル計算装置の少なくとも１つのセンサを介して物理的移動データを識別するステップと；前記物理的移動データに基づいてユーザジェスチャデータを決定するステップと；前記ユーザジェスチャデータを前記照明コントローラに供給して、前記１以上のＬＥＤからの光出力に対する照明特性調整を前記ユーザジェスチャデータに基づいて実行するステップと；を有する。
【００１７】
［００１７］幾つかの実施態様において、上記方法は、照明特性調整完了指示情報を識別するステップ、及び該照明特性調整完了指示情報を前記照明コントローラに供給して前記１以上のＬＥＤに対する前記照明特性調整を固定するステップを更に有する。
【００１８】
［００１８］幾つかの実施態様において、上記方法は、照明特性調整開始指示情報を識別するステップ、及び該照明特性調整開始指示情報を前記照明コントローラに供給して前記１以上のＬＥＤに対する前記照明特性調整を実施するステップを更に有する。
【００１９】
［００１９］幾つかの実施態様において、上記方法は、前記センサを介して少なくとも１つのユーザジェスチャデータ基準出力を受入するステップを更に有し、前記物理的移動データは該ユーザジェスチャデータ基準出力に基づくものである。これら実施態様の幾つかのバージョンにおいて、前記ユーザジェスチャデータ基準出力は少なくとも１つの磁場を含み、前記センサは磁場感知トランスジューサを含み、前記物理的移動は該磁場感知トランスジューサを介しての前記磁場の感知に基づいて識別される。これら実施態様の幾つかのバージョンにおいて、前記ユーザジェスチャデータ基準出力は複数の符号化光出力を含み、前記センサは光学感知装置を含み、前記物理的移動データは該光学感知装置における前記符号化光出力の少なくとも１つの受入に基づくものである。上記の受入される符号化光出力は、前記ＬＥＤのうちの第１ＬＥＤにより発生される第１符号化光出力及び前記ＬＥＤのうちの第２ＬＥＤにより発生される第２符号化光出力を含むことができ、前記ユーザジェスチャデータは該第１符号化光出力及び第２符号化光出力の受入を示すことができる。前記ユーザジェスチャデータは前記第１符号化光出力及び第２符号化光出力の同時的な受入を示すことができる。前記ユーザジェスチャデータは、前記第１符号化光出力の第１強度及び前記第２符号化光出力の第２強度を示すことができる。
【００２０】
［００２０］幾つかの実施態様において、上記方法は、前記モバイル計算装置を介して受信されるアンカ（anchor）領域入力に基づいて目標領域データを決定するステップを更に有し、該目標領域データは前記１以上のＬＥＤの光出力に対する目標領域を示し、目標領域入力が受信された際の前記モバイル計算装置の位置に基づくものである。
【００２１】
［００２１］幾つかの実施態様において、上記方法は、前記照明コントローラとの接続を終了するステップを更に有する。
【００２２】
［００２２］幾つかの実施態様において、前記物理的移動は、前記照明特性調整が前記ユーザジェスチャデータに基づいて実施される前記１以上のＬＥＤからの光出力の経路におけるものである。
【００２３】
［００２３］幾つかの実施態様において、上記方法は、前記モバイル計算装置の更なる物理的移動を識別するステップと；該更なる物理的移動に基づいて追加のユーザジェスチャデータを決定するステップと；該追加のユーザジェスチャデータを前記照明コントローラに供給して、前記１以上のＬＥＤに対する更なる照明特性調整を該追加のユーザジェスチャデータに基づいて実行するステップと；該更なる照明特性調整を行うことができないとの警告を受信するステップと；を更に有する。これら実施態様の幾つかのバージョンにおいて、前記更なる照明特性調整を行うことができないとの警告を受信するステップは、前記モバイル計算装置を介して聴覚的、視覚的及び触覚的警告のうちの少なくとも１つを実行するためのフィードバックコマンドを受信するステップを含む。
【００２４】
［００２４］一般的に言うと、他の態様において、本発明はモバイル計算装置からの入力を介して照明を調整する方法に関するもので、該方法は：ユーザのモバイル計算装置との接続を確立するステップと；第１ＬＥＤグループから第１基準出力を供給するステップと；第２ＬＥＤグループから第２基準出力を供給するステップと；前記モバイル計算装置の少なくとも１つのセンサを介しての前記第１基準出力及び前記第２基準出力の受入に応答して該モバイル計算装置からデータを受信するステップであって、該データが前記モバイル計算装置における前記第１基準出力の強度を示す第１強度情報及び前記モバイル計算装置における前記第２基準出力の強度を示す第２強度情報を含むステップと；前記第１強度情報及び前記第２強度情報に基づいて、前記第１ＬＥＤグループ及び前記第２ＬＥＤグループからの光出力に対する照明特性調整を決定するステップと；  前記照明特性調整を実施するステップと；を有する。
【００２５】
［００２５］幾つかの実施態様において、上記方法は、前記照明特性調整を前記第１強度情報及び前記第２強度情報の比較に基づいて決定するステップを更に有する。これら実施態様の幾つかのバージョンにおいて、前記照明特性調整は前記第１ＬＥＤグループ及び前記第２ＬＥＤグループの少なくとも一方の光出力の光出力方向調整を含む。これら実施態様の幾つかのバージョンにおいて、前記照明特性調整を決定するステップは、前記第１強度情報が前記第２強度情報よりも強度を示さないことを判定するステップ、及び該１強度情報が前記第２強度情報よりも強度を示さないとの判定に基づいて前記第１ＬＥＤグループの光出力に対する光出力方向調整を決定するステップを含む。これら実施態様の幾つかのバージョンにおいて、当該方法は、前記モバイル計算装置から該モバイル計算装置における前記第１基準出力の強度を示す更なる第１強度情報を含む更なるデータを受信するステップ、及び前記更なる第１強度が閾値強度を満足しない場合に前記第１ＬＥＤグループに対する更なる光出力方向調整を決定するステップを更に有する。幾つかの実施態様において、前記第１ＬＥＤグループは単一のＬＥＤからなる。
【００２６】
［００２６］幾つかの実施態様において、前記第１基準出力は第１符号化光出力を含む一方、前記第２基準出力は第２符号化光出力を含み、前記第１強度情報は前記モバイル計算装置の光学感知装置における前記第１符号化光出力の強度を示す一方、前記第２強度情報は前記光学感知装置における前記第２符号化光出力の強度を示す。
【００２７】
［００２７］幾つかの実施態様において、上記方法は、前記モバイル計算装置の移動を前記第１強度情報及び前記第２強度情報の比較に基づいて決定するステップ、及び前記照明特性調整を該移動に基づいて決定するステップを更に有する。これら実施態様の幾つかのバージョンにおいて、当該方法は、前記モバイル計算装置の前記移動の形状を前記第１強度情報及び前記第２強度情報の比較に基づいて決定するステップ、及び前記照明特性調整を前記移動の形状に基づいて決定するステップを更に有する。
【００２８】
［００２８］一般的に言うと、更に他の態様において、本発明はメモリ及び該メモリに記憶された命令を実行するように動作可能なコントローラを含む照明装置に関するものである。上記命令は、ユーザのモバイル計算装置との接続を確立し；前記ユーザによる空間内での前記モバイル計算装置の少なくとも１つの物理的移動に応答して該モバイル計算装置からユーザジェスチャデータを受信し；前記ユーザジェスチャデータに基づいて、ＬＥＤ型照明ユニットの１以上のＬＥＤにより生成される光出力に対する照明特性調整を決定し；前記ユーザジェスチャデータに応答して前記照明特性調整を実施する；ための命令を含む。
【００２９】
［００２９］一般的に言うと、更に他の態様においては、少なくとも１つの調整可能な照明特性を有する少なくとも１つのＬＥＤ型照明ユニットと、該照明ユニット（光源）と電気的に通信する少なくとも１つのコントローラとを有する照明システムが提供され、前記少なくとも１つのコントローラは：ユーザのモバイル計算装置との接続を確立し；前記ユーザによる空間内での前記モバイル計算装置の少なくとも１つの物理的移動に応答して該モバイル計算装置からユーザジェスチャデータを受信し；前記ユーザジェスチャデータに基づいて、ＬＥＤ型照明ユニットの１以上のＬＥＤにより生成される光出力に対する照明特性調整を決定し；前記ユーザジェスチャデータに応答して前記照明特性調整を実施する。
【００３０】
［００３０］他の実施態様は、ここに記載した上記方法の１以上等の方法を実行するためにプロセッサにより実行することが可能な命令を記憶した非一時的コンピュータ読取可能な記憶媒体を含むことができる。更に他の実施態様は、メモリと、ここに記載した前記方法の１以上等の方法を実施するために該メモリに記憶された命令を実行するように動作する１以上のプロセッサとを有するシステムを含むことができる。
【００３１】
［００３１］本開示の目的のために本明細書で使用される場合、“ＬＥＤ”なる用語は、任意の発光（エレクトロルミネッセント）ダイオード又は電気信号に応答して放射を発生することが可能な他のタイプの電荷注入／接合型システムを含むものと理解されるべきである。従って、ＬＥＤなる用語は、これらに限定されるものではないが、電流に応答して光を放出する種々の半導体型構造体、発光ポリマ、有機発光ダイオード（ＯＬＥＤ）、エレクトロルミネッセント・ストリップ等を含む。特に、ＬＥＤなる用語は、赤外スペクトル、紫外スペクトル及び可視スペクトルの種々の部分（通常、約４００ナノメートルから約７００ナノメートルまでの放射波長を含む）の１以上において放射を発生するように構成することができる全てのタイプの発光ダイオード（半導体及び有機発光ダイオードを含む）を指す。ＬＥＤの幾つかの例は、これらに限定されるものではないが、種々のタイプの赤外ＬＥＤ、紫外ＬＥＤ、赤色ＬＥＤ、青色ＬＥＤ、緑色ＬＥＤ、黄色ＬＥＤ、琥珀色ＬＥＤ、橙色ＬＥＤ及び白色ＬＥＤを含む（後に更に説明する）。また、ＬＥＤは所与のスペクトルに対して種々の（例えば、狭い帯域幅、広い帯域幅）帯域幅（例えば、半値全幅又はＦＷＨＭ）及び所与の一般色分類内で種々の優勢波長を持つ放射を発生するよう構成及び／又は制御することができると理解されるべきである。
【００３２】
［００３２］例えば、実質的に白色光を発生するように構成されたＬＥＤ（例えば、白色ＬＥＤ）の一構成例は、組み合わせで実質的に白色光を形成するように混ざり合うような、異なるスペクトルのエレクトロルミネッセンスを各々放出する複数のダイを含むことができる。他の構成例では、白色光ＬＥＤは、第１スペクトルを持つエレクトロルミネッセンスを別の第２のスペクトルに変換する蛍光体材料に関連され得る。この構成の一例において、相対的に短い波長及び狭い帯域幅のスペクトルを持つエレクトロルミネッセンスは上記蛍光体材料を“ポンピング”し、該蛍光体材料は幾らか広いスペクトルを持つ一層長い波長の放射を放出する。
【００３３】
［００３３］また、ＬＥＤなる用語はＬＥＤの物理的及び／又は電気的パッケージのタイプを限定するものではないと理解されるべきである。例えば、ＬＥＤは、前述したように異なるスペクトルの放射を各々放出するように構成された複数のダイ（例えば、個別に制御することが可能であるか又は可能でない）を有する単一の発光デバイスを指し得る。また、ＬＥＤは、当該ＬＥＤの一体部分と見なされる蛍光体と関連され得る（例えば、幾つかのタイプの白色ＬＥＤ）。一般的に、ＬＥＤなる用語は、パッケージ化ＬＥＤ、非パッケージ化ＬＥＤ、表面実装ＬＥＤ、チップオンボードＬＥＤ、Ｔパッケージ実装ＬＥＤ、ラジアルパッケージＬＥＤ、電力パッケージＬＥＤ、何らかのタイプのケース及び／又は光学素子（例えば、拡散レンズ）を含むＬＥＤ等を指すことができる。
【００３４】
［００３４］“光源”なる用語は、これらに限定されるものではないが、ＬＥＤ型光源（先に定義したような1以上のＬＥＤを含む）、白熱光源（例えば、フィラメント電球、ハロゲン電球等）、蛍光光源、燐光光源、高輝度放電光源（例えば、ナトリウム蒸気、水銀蒸気及び金属ハライド電球）、レーザ、他のタイプのエレクトロルミネッセント光源、熱発光光源、発光ポリマ等を含む種々の放射光源の何れか1以上を指すと理解されたい。
【００３５】
［００３５］所与の光源は、可視スペクトル内、可視スペクトル外、又はこれら両方の組み合わせで電磁放射を発生するように構成することができる。従って、“光”及び“放射”なる用語は、ここでは入れ替え可能に使用される。更に、光源は、一体部品として、1以上のフィルタ（例えば、カラーフィルタ）、レンズ又は他の光学部品を含むことができる。また、光源は、これらに限定されるものではないが指示、表示及び／又は照明を含む種々の用途のために構成することができると理解されるべきである。“照明光源”は、内部又は外部空間を効果的に照明するために十分な輝度を持つ放射を発生するように特別に構成された光源である。この点において、“十分な輝度”とは、周囲照明（即ち、間接的に知覚され得ると共に、例えば全体的に又は部分的に知覚される前に1以上の種々の介在表面から反射され得る光）を形成するために空間又は環境において発生される可視スペクトルにおける十分な放射パワーを指す（放射パワー又は“光束”に関しては、しばしば、“ルーメン”なる単位が光源から全方向への全光出力を表すために使用される）。
【００３６】
［００３６］“スペクトル”なる用語は、１以上の光源により生成された放射の何れか１以上の周波数（又は波長）を指すものと理解されたい。従って、“スペクトル”なる用語は、可視範囲における周波数（又は波長）のみならず、赤外、紫外及び全体の電磁スペクトルの他の領域における周波数（又は波長）をも指す。また、或るスペクトルは、相対的に狭い帯域幅（例えば、実質的に僅かな周波数又は波長成分しか有さないＦＷＨＭ）又は相対的に広い帯域幅（種々の相対強度を持つ幾つかの周波数又は波長成分）を有することができる。また、或るスペクトルは２以上の他のスペクトルの混合（例えば、複数の光源から各々放出された放射の混合）の結果であり得ると理解されたい。
【００３７】
［００３７］本開示の目的のため、“カラー（色）”なる用語は、“スペクトル”なる用語と互換可能に使用されている。しかしながら、“カラー（色）”なる用語は、一般的に、観察者により知覚可能である放射の特性を主に指すように使用される（もっとも、この用い方は、この用語の範囲を限定する意図でない）。従って、“異なるカラー”なる用語は、異なる波長成分及び／又は帯域幅を持つ複数のスペクトルを黙示的に示す。また、“カラー（色）”なる用語は、白色及び非白色光の両方との関連で使用することもできると理解されたい。
【００３８】
［００３８］“照明固定具”及び“照明器具”なる用語は、ここでは、特定のフォームファクタ、アセンブリ若しくはパッケージでの１以上の照明ユニットの構成又は配置を指すために互換的に使用されている。“照明ユニット”なる用語は、ここでは、同一又は異なるタイプの１以上の光源を含む装置を指すために使用されている。所与の照明ユニットは、光源（又は複数の光源）のための種々の取付配置、エンクロージャ／ハウジング配置及び形状、並びに／又は電気的及び機械的接続構造の何れかを有することができる。更に、所与の照明ユニットは、オプションとして、当該光源（又は複数の光源）の動作に関係する種々の他の部品（例えば、制御回路）に関連され得る（例えば、含む、結合される及び／又は一緒にパッケージ化される）。“ＬＥＤ照明ユニット”とは、上述したような１以上のＬＥＤ型光源を単独で又は他の非ＬＥＤ型光源との組み合わせで含む照明ユニットを指す。“多チャンネル”照明ユニットとは、異なるスペクトルの放射を各々発生するように構成された少なくとも２つの光源を含むＬＥＤの又は非ＬＥＤの照明ユニットを指し、上記異なる光源スペクトルの各々を当該多チャンネル照明ユニットの“チャンネル”と称することができる。
【００３９】
［００３９］“コントローラ”なる用語は、ここでは、1以上の光源の動作に関係する種々の装置を広く記述するために使用されている。コントローラは、ここで述べる種々の機能を果たすために、多数の形態で（例えば、専用のハードウェアによる等）実施化することができる。“プロセッサ”は、ここで述べる種々の機能を実行するために、ソフトウェア（例えば、マイクロコード）を用いてプログラムすることができる１以上のマイクロプロセッサを使用するコントローラの一例である。コントローラは、プロセッサを使用するか又は使用しないで実施化することができ、幾つかの機能を実行するための専用のハードウェアと、他の機能を実行するためのプロセッサ（例えば、1以上のプログラムされたマイクロプロセッサ及び関連する回路）との組み合わせとして実施化することもできる。本開示の種々の実施態様で使用することが可能なコントローラ部品の例は、これらに限定されるものではないが、通常のマイクロプロセッサ、特定用途向け集積回路（ＡＳＩＣ）及びフィールド・プログラマブル・ゲート・アレイ（ＦＰＧＡ）を含む。
【００４０】
［００４０］種々の構成において、プロセッサ又はコントローラは１以上の記憶媒体（例えばＲＡＭ、ＰＲＯＭ、EPROM及びEEPROM等の揮発性及び不揮発性コンピュータメモリ、フロッピー（登録商標）ディスク、コンパクトディスク、光ディスク又は磁気テープ等であり、ここでは広く“メモリ”と称する）に関連され得る。幾つかの構成例において、上記記憶媒体は、１以上のプロセッサ及び／又はコントローラ上で実行された場合に本明細書で述べる機能の少なくとも幾つかを実行する1以上のプログラムによりコード化することができる。種々の記憶媒体は、当該記憶媒体上に記憶された1以上のプログラムをプロセッサ又はコントローラにロードして、ここで述べる本発明の種々の態様を実施することができるように、プロセッサ若しくはコントローラ内に固定され又は移送可能なものとすることができる。“プログラム”又は“コンピュータプログラム”なる用語は、ここでは、1以上のプロセッサ又はコントローラをプログラムするために使用することが可能な任意のタイプのコンピュータコード（例えば、ソフトウェア又はマイクロコード）を示すように汎用的な意味で使用されている。
【００４１】
［００４１］“アドレス指定可能”なる用語は、本明細書では、（自身を含む）複数の装置を意図する情報（例えば、データ）を受信すると共に、当該装置を意図する特定の情報に選択的に応答するように構成された装置（例えば、光源全般、照明ユニット又は照明器具、１以上の光源又は照明ユニットに関連するコントローラ又はプロセッサ、他の非照明関連装置等）を指す。“アドレス指定可能”なる用語は、しばしば、複数の装置が何らかの通信媒体を介して一緒に結合されたネットワーク化環境（又は“ネットワーク”、更に後述する）に関連して使用される。
【００４２】
［００４２］一ネットワーク構成例において、ネットワークに結合された１以上の装置は、該ネットワークに結合された１以上の他の装置に対するコントローラとして働く（例えば、マスタ／スレーブ関係で）。他の構成例において、ネットワーク環境は、当該ネットワークに結合された装置の１以上を制御するように構成された１以上の専用のコントローラを含むことができる。一般的に、当該ネットワークに結合された複数の装置は、各々、当該通信媒体上に存在するデータにアクセスすることができる。しかしながら、所与の装置は、当該ネットワークに対し、例えば自身に割り当てられた１以上の特定の識別子（例えば、“アドレス”）に基づいてデータを選択的に交換する（即ち、データを受信し及び／又はデータを送信する）ことができるという点で“アドレス指定可能”であり得る。
【００４３】
［００４３］ここで使用される“ネットワーク”なる用語は、２以上の装置（コントローラ又はプロセッサを含む）間の相互接続であって、何れかの２以上の装置の間の、及び／又は当該ネットワークに結合された複数の装置の間での情報（例えば、装置制御、データ記憶、データ交換等のための）の伝送を容易にする任意の相互接続を指すものである。容易に理解されるように、複数の装置を相互接続するのに適したネットワークの種々の構成は、種々のネットワークトポロジの何れかを含むと共に、種々の通信プロトコルの何れかを使用することができる。更に、本開示による種々のネットワークにおいて、２つの装置の間の何れか１つの接続は、２つのシステムの間の専用の接続を表すことができ、又は代わりに非専用接続を表すこともできる。当該２つの装置のための情報を伝送することに加えて、このような非専用接続は、必ずしも上記２つの装置のいずれかのためのものでもない情報を伝送することができる（例えば、開放型ネットワーク接続）。更に、ここで述べる装置の種々のネットワークが、当該ネットワークを介しての情報伝送を容易化するために1以上の無線、有線／ケーブル及び／又は光ファイバリンクを使用することができることは容易に理解されよう。
【００４４】
［００４４］ここで使用される“ユーザインターフェース”なる用語は、人のユーザ又は操作者と１以上の装置との間のインターフェースであって、ユーザと装置との間の通信を可能にするインターフェースを指す。本開示の種々の実施態様において使用することができるユーザインターフェースの例は、これらに限定されるものではないが、スイッチ、ポテンショメータ、釦、ダイヤル、スライダ、マウス、キーボード、キーパッド、種々のタイプのゲームコントローラ（例えば、ジョイスティック）、トラックボール、表示スクリーン、種々のタイプのグラフィックユーザインターフェース（ＧＵＩ）、タッチスクリーン、マイクロフォン及び何らかの形態の人により発生された刺激を受け、これに応答して信号を発生することができる他のタイプのセンサを含む。
【００４５】
［００４５］上述した概念及び後に詳述する追加の概念の全ての組み合わせ（斯かる概念が互いに矛楯しない限り）は、ここに開示される本発明の主題の一部であると意図されることが理解されるべきである。特に、この開示の最後に現れる請求項に記載の主題の全ての組み合わせは、ここに開示される本発明の主題の一部であると意図される。また、参照により本明細書に組み込まれる何れかの文献にも現れる、ここで明示的に使用される用語は、ここに開示される特定の概念と最も一貫性のある意味が付与されるべきであると理解されるべきである。
【００４６】
［００４６］尚、図面において同様の符号は、異なる図を通して、同様の部分を概して示している。また、各図は必ずしも寸法通りではなく、代わりに本発明の原理を解説するに当たり概して誇張されている。
【図面の簡単な説明】
【００４７】
【図１】図１は、照明コントローラ及びＬＥＤ照明ユニットを有するＬＥＤ照明システムの一実施態様のブロック図を示し、該ＬＥＤ照明システムとインターフェースするモバイル計算装置が図示されている。
【図２】図２は、モバイル計算装置からの入力を介して照明を調整する例示的方法のフローチャートを示す。
【図３】図３は、照明を調整するために少なくとも１つの照明コントローラにユーザジェスチャデータを供給する例示的方法のフローチャートを示す。
【図４】図４は、モバイル計算装置からの入力を介して照明を調整する他の例示的方法のフローチャートを示す。
【図５Ａ】図５Ａは、モバイル計算装置と照明コントローラとの間の接続を確立する一例を示す。
【図５Ｂ】図５Ｂは、モバイル計算装置と照明コントローラとの間の接続を確立する一例を示す。
【図６Ａ】図６Ａは、照明特性を調整するためにＬＥＤ照明システムにおいて使用することができる、モバイル計算装置の物理的移動による例示的照明操作ジェスチャを示す。
【図６Ｂ】図６Ｂは、照明特性を調整するためにＬＥＤ照明システムにおいて使用することができる、モバイル計算装置の物理的移動による例示的照明操作ジェスチャを示す。
【図７Ａ】図７Ａは、モバイル計算装置の物理的移動による他の例示的照明操作ジェスチャを示す。
【図７Ｂ】図７Ｂは、モバイル計算装置の物理的移動による他の例示的照明操作ジェスチャを示す。
【図８Ａ】図８Ａは、モバイル計算装置の物理的移動による他の例示的照明操作ジェスチャを示す。
【図８Ｂ】図８Ｂは、モバイル計算装置の物理的移動による他の例示的照明操作ジェスチャを示す。
【図９Ａ】図９Ａは、モバイル計算装置の物理的移動による他の例示的照明操作ジェスチャを示す。
【図９Ｂ】図９Ｂは、モバイル計算装置の物理的移動による他の例示的照明操作ジェスチャを示す。
【図１０Ａ】図１０Ａは、モバイル計算装置の物理的移動による他の例示的照明操作ジェスチャを示す。
【図１０Ｂ】図１０Ｂは、モバイル計算装置の物理的移動による他の例示的照明操作ジェスチャを示す。
【図１１Ａ】図１１Ａは、モバイル計算装置の物理的移動による他の例示的照明操作ジェスチャを示す。
【図１１Ｂ】図１１Ｂは、モバイル計算装置の物理的移動による他の例示的照明操作ジェスチャを示す。
【図１２Ａ】図１２Ａは、モバイル計算装置の物理的移動による他の例示的照明操作ジェスチャを示す。
【図１２Ｂ】図１２Ｂは、モバイル計算装置の物理的移動による他の例示的照明操作ジェスチャを示す。
【図１３Ａ】図１３Ａは、モバイル計算装置の物理的移動による他の例示的照明操作ジェスチャを示す。
【図１３Ｂ】図１３Ｂは、モバイル計算装置の物理的移動による他の例示的照明操作ジェスチャを示す。
【図１４Ａ】図１４Ａは、モバイル計算装置の物理的移動による他の例示的照明操作ジェスチャを示す。
【図１４Ｂ】図１４Ｂは、モバイル計算装置の物理的移動による他の例示的照明操作ジェスチャを示す。
【図１５Ａ】図１５Ａは、モバイル計算装置の物理的移動による他の例示的照明操作ジェスチャを示す。
【図１５Ｂ】図１５Ｂは、モバイル計算装置の物理的移動による他の例示的照明操作ジェスチャを示す。
【図１６Ａ】図１６Ａは、モバイル計算装置の物理的移動による他の例示的照明操作ジェスチャを示す。
【図１６Ｂ】図１６Ｂは、モバイル計算装置の物理的移動による他の例示的照明操作ジェスチャを示す。
【発明を実施するための形態】
【００４８】
［００６３］ＬＥＤ型光源を含むもののような照明システムでは、当該照明システムの１以上の光源に対する制御を有することが望ましい。例えば、斯かる光源の１以上の光出力の照明シーン、照明方向、照明カラー、照明輝度、ビーム幅、ビーム角度及び／又は他のパラメータの制御を有することが望ましいであろう。１以上の光源の構成の間における直接指定及び／又は物体の感知は、各々、１以上の照明パラメータの指定を可能にする。しかしながら、直接指定及び／又は物体の感知は、適用される照明を微調整する能力の不足、柔軟性の欠如及び／又は照明パラメータの調整の不足等の１以上の欠点を被り得る。
【００４９】
［００６４］このように、出願人は、当業技術においては、光出力の１以上の特性の制御を可能にすると共に、オプションとして既存の装置及び／又は方法の１以上の欠点を克服するような方法及び装置を提供することの必要性を認識及び理解した。もっと一般的に言うと、出願人は、光出力の１以上の特性をモバイル計算装置のユーザ操作に基づいて制御することに関係する種々の発明的方法及び装置を提供することが有益であろうことを認識及び理解した。
【００５０】
［００６５］上記に鑑みて、本発明の種々の実施態様及び構成は照明制御に向けられたものである。
【００５１】
［００６６］以下の詳細な説明においては、限定ではなく説明の目的で、請求項に記載の本発明の完全な理解を提供するために固有な細部を開示する代表的実施態様が記載される。しかしながら、本開示の利益を受けた当業者にとり、ここに開示される固有の細部からは外れた本教示による他の実施態様も添付請求項の範囲内に入ることは明らかであろう。更に、良く知られた装置及び方法の説明は、斯かる代表的実施態様の説明を不明瞭にしないように省略され得るものである。このような方法及び装置も、請求項に記載の本発明の範囲内であることは明らかである。例えば、ここに開示される方法及び装置の各態様は、ＬＥＤ型光源のみを有する照明システムに関連して説明されている。しかしながら、ここに記載される方法及び装置の１以上の態様は、付加的に及び／又は代替的に他の非ＬＥＤ光源を含む他の照明システムにおいても実施化することができる。ここに記載される該１以上の態様の、他の構成環境における実施化も、請求項に記載の本発明の範囲及び趣旨から逸脱せずに考えられる。また、例えば、ここに開示される方法及び装置の各態様は、単一のコントローラ及び単一の照明ユニットに関連して説明されている。しかしながら、ここに記載される方法及び装置の１以上の態様は、複数のコントローラ及び／又は複数の照明ユニットを含み得る他の照明システムにおいても実施化することができる。
【００５２】
［００６７］図１は、照明コントローラ１２０及びＬＥＤ照明ユニット（ＬＥＤ型照明ユニット）１３０を有するＬＥＤ照明システム１００の一実施態様のブロック図を示す。ＬＥＤ照明システム１００とインターフェースするモバイル計算装置１１０が図示されている。モバイル計算装置１１０は、例えば、携帯電話（スマートフォン）、タブレット計算装置及び／又はウエアラブル計算装置（例えば、ウエアラブル時計計算装置）とすることができる。ＬＥＤ照明ユニット１３０は、光出力を発生するように構成された１以上のＬＥＤ１３２を含む。ここに説明するように、照明コントローラ１２０は、ＬＥＤ照明ユニット１３０のＬＥＤ１３２及び／又はＬＥＤ１３２に関連する１以上の光学素子を、モバイル計算装置１１０から受信されるデータに少なくとも部分的に基づいて制御する。例えば、ユーザによる空間内でのモバイル計算装置１１０の物理的移動に応答して該モバイル計算装置１１０からユーザジェスチャデータが受信され得、ＬＥＤ１３２に対する照明特性調整が該ユーザジェスチャデータに基づいて決定され得、ＬＥＤ１３２及び／又は光学素子が該照明特性調整を実施するように制御され得る。
【００５３】
［００６８］モバイル計算装置１１０は、コントローラ１１４及び少なくとも１つのセンサ１１２を含んでいる。幾つかの実施態様において、センサ１１２はモバイル計算装置１１０の物理的移動を示す物理的移動データを識別するために使用することができる。コントローラ１１４は、該物理的移動データを使用してユーザジェスチャデータを決定し、該ユーザジェスチャデータに基づいて光出力を調整するために前記照明コントローラ１２０に供給することができる。幾つかの実施態様において、センサ１１２は当該ＬＥＤ照明システム１００により供給される基準出力を識別するために使用することができ、コントローラ１１４は該基準出力を使用して、光出力を調整するために照明コントローラ１２０に供給するためのデータを決定することができる。センサ１１２は、例えば、カメラ、磁場感知トランスジューサ（例えば、ホール効果センサ）、ＧＰＳセンサ、及び／又は方位センサ（例えば、磁力計、ジャイロコンパス、ジャイロスコープ、加速度計、三軸電子コンパス）を含むことができる。例えば、方位センサはモバイル計算装置１１０のピッチ（縦揺れ）、ヘッディング（進行方向）及び／又はロール（横揺れ）を示す物理的移動データを識別するために使用することができ、ユーザジェスチャデータはピッチ、ヘッディング及び／又はロールを示すことができる。該ユーザジェスチャデータは照明コントローラ１２０に供給され、ＬＥＤ照明ユニット１３０の１以上の照明特性を該ユーザジェスチャデータに基づいて調整することができる。例えば、ＬＥＤ照明ユニット１３０におけるＬＥＤ１３２の１以上からの光出力を、モバイル計算装置１１０のヘッディング、ピッチ及び／又はロールに概ね対応するビーム方向を有する光出力を発生するように調整することができる。斯かるビーム方向は、例えば、特定のＬＥＤを駆動し及び／又は特定のＬＥＤに関連する光学素子を調整することにより調整することができる。ヘッディングは、通常、地磁極に対する特定のエレメントの方位（向き）、又は天文軸の周りの該エレメントの回転的方向を指す。ピッチは、通常、天文軸に垂直な第２軸の周りの上記特定のエレメントの回転を示す。ロールは、通常、上記天文軸及び第２軸に垂直な第３軸の周りの上記特定のエレメントの回転を示す。
【００５４】
［００６９］モバイル計算装置１１０は、該モバイル計算装置１１０が照明コントローラ１２０等の１以上の他の構成要素とネットワーク通信することを可能にするために少なくとも１つの通信インターフェースを含むことができる。同様に、照明コントローラ１２０は、該照明コントローラ１２０がモバイル計算装置１１０及び／又はＬＥＤ照明ユニット１３０等の１以上の他の構成要素とネットワーク通信することを可能にするために少なくとも１つの通信インターフェースを含み及び／又は斯かる通信インターフェースに結合することができる。モバイル計算装置１１０と照明コントローラ１２０との間の通信は、例えば近接通信、ブルートゥース、Wi-Fi及び／又は他の通信プロトコルを介して行うことができる。
【００５５】
［００７０］照明コントローラ１２０は、本明細書で説明するモジュールの幾つか又は全ての機能を提供するデータ構造及びプログラムを格納する記憶サブシステムを含み及び／又は斯かる記憶サブシステムにアクセスすることができる。例えば、該記憶サブシステムは、モバイル計算装置から受信されるデータに基づいて１以上のＬＥＤに対する照明特性調整を決定し及び／又は該データに応答して照明特性調整を実施するためのロジックを含むことができる。モバイル計算装置１１０も、本明細書で説明するモジュールの幾つか又は全ての機能を提供するデータ構造及びプログラムを格納する記憶サブシステムを含み及び／又は斯かる記憶サブシステムにアクセスすることができる。例えば、該記憶サブシステムは、物理的移動データを識別し、該物理的移動データに基づいてユーザジェスチャデータを決定し、及び／又は照明を調整するためにユーザジェスチャデータを少なくとも１つの照明コントローラに供給するためのロジックを含むことができる。
【００５６】
［００７１］特定の実施態様の機能を実施化するモジュールは、通常、照明コントローラ１２０及びコントローラ１１４の各々により単独で実行されるか、又は他のコントローラ（例えば、分散処理）との組み合わせで実行される。メモリを、照明コントローラ１２０及び／又はモバイル計算装置１１０の記憶サブシステムにおいて使用することができ、照明コントローラ１２０及びコントローラ１１４の各々によりアクセスすることができる。メモリは、命令及び実行の間におけるデータの記憶のための主ランダムアクセスメモリ（ＲＡＭ）並びに固定命令が記憶される読出専用メモリ（ＲＯＭ）を含む複数のメモリを含むことができる。ファイル記憶システムが、プログラム及びデータファイルのための持続的記憶を提供することができ、ハードディスクドライブ、関連する取外し可能な媒体と一緒のフロッピー（登録商標）ディスクドライブ、ＣＤ−ＲＯＭドライブ、光ドライブ又は取外し可能な媒体カートリッジを含むことができる。
【００５７】
［００７２］幾つかの実施態様において、照明コントローラ１２０はＬＥＤ照明ユニット１３０をモバイル計算装置１１０から受信されるデータに少なくとも部分的に基づいて制御する。幾つかの実施態様において、ＬＥＤ照明ユニット１３０のＬＥＤ１３２は１以上のドライバにより駆動され、照明コントローラ１２０はＬＥＤを制御するために該１以上のドライバと通信する。幾つかの実施態様において、照明コントローラ１２０はＬＥＤ照明ユニット１３０のドライバの一部を形成することができる。幾つかの実施態様において、照明コントローラ１２０はＬＥＤ照明ユニット１３０の１以上のローカルな照明コントローラと通信してＬＥＤ１３２を制御する。例えば、各々がＬＥＤ照明ユニット１３０の１以上のＬＥＤ１３２を制御する複数のローカルな照明コントローラを設けることができる。幾つかの実施態様において、照明コントローラ１２０自身が、各々がＬＥＤ照明ユニット１３０の１以上のＬＥＤ１３２を制御する複数のローカルなコントローラを有することができる。照明コントローラ１２０は、ＬＥＤ照明ユニット１３０の単一のグループのＬＥＤ１３２を制御することができるか、又は複数のグループのＬＥＤ１３２を制御することができる。複数の照明コントローラを含む実施態様は、オプションとして、該複数の照明コントローラの間に有線及び／又は無線通信部を含むことができる。
【００５８】
［００７３］幾つかの実施態様において、ＬＥＤ照明ユニット１３０は、各々がＬＥＤ１３２の１以上を含む複数のＬＥＤグループを含むことができる。例えば、幾つかの実施態様において、上記ＬＥＤグループは、各々、ＬＥＤの少なくとも１つの面及び／又はＬＥＤの面の１以上の部分を含むことができる。ＬＥＤの面は、平らな面、アーチ状の面、複数ファセットの面、及び／又は１以上のＬＥＤを含む他の面を含むことができる。ＬＥＤの面の幾つかの例は、壁、天井、床、柱（例えば、円柱、四角柱、楕円柱）を含む。上記ＬＥＤグループの各々の制御の１以上の態様は、オプションとして、個々のＬＥＤグループに固有のものとすることができる。例えば、１以上のＬＥＤグループの輝度、カラー、ビーム幅及び／又はビーム方向を個々に制御することができる。例えば、複数のＬＥＤグループのビーム方向を、当該ビームを物体上に収束するように向け直すことができる。
【００５９】
［００７４］図２を参照すると、モバイル計算装置からの入力を介して照明を調整する例示的方法のフローチャートが示されている。他の構成例は、斯かるステップを異なる順序で実行することができ、特定のステップを省略することができ、及び／又は図２に示されたものとは異なる及び／又は追加のステップを実行することができる。便宜的に、図２の態様を、当該方法を実行することができる照明システムの１以上の構成要素を参照して説明する。これら構成要素は、例えば、図１の照明システム１００の構成要素の１以上、及び／又は図５Ａ〜図１６Ｂの１以上の構成要素を含むことができる。従って、便宜上、図１及び図５Ａ〜図１６Ｂの態様を図２に関連して説明する。
【００６０】
［００７５］ステップ２００において、モバイル計算装置との接続が確立される。例えば、照明コントローラ１２０はモバイル計算装置１１０との接続を確立することができる。幾つかの実施態様において、接続は、モバイル計算装置１１０によるユーザの行動に応答して確立することができる。幾つかの実施態様において、該ユーザ行動は、特にユーザが制御したい１以上のＬＥＤのグループに向けることができる。
【００６１】
［００７６］例えば、図５Ａに図示されたように、携帯電話５１０を表面５０５上の一群のＬＥＤ５３２の極近傍に配置し、該携帯電話５１０と該ＬＥＤを制御する照明コントローラとの間の通信を斯かる配置に応答して確立することができる。例えば、近接通信（ＮＦＣ）、無線周波数識別（ＲＦＩＤ）タグ及び／又は他の無線周波数（ＲＦ）装置及び／又は方法を当該ＬＥＤの近傍で実施して、携帯電話５１０との接続を開始することができる。例えば、幾つかの実施態様において、非給電ＮＦＣタグ及び／又は給電ＮＦＣ装置をＬＥＤ５３２の近傍で実施化して、携帯電話５１０のＮＦＣセンサにより受信され得る接続開始データを供給し、該ＬＥＤの照明コントローラと該携帯電話５１０との間の接続を開始することができる。また、例えば、幾つかの実施態様において、接続開始データは携帯電話５１０により付加的に及び／又は代替的に供給されると共に上記照明コントローラにより受信され、該照明コントローラと該携帯電話５１０との間の接続を開始することができる。
【００６２】
［００７７］また、例えば図５Ｂに示されたように、幾つかの実施態様ではＬＥＤ５３２の１以上が接続開始データを含む符号化光を供給することができる。携帯電話５１０のカメラ又は他のセンサを、上記符号化光を受入するために使用することができ、該携帯電話５１０のコントローラを該符号化光における接続開始データを識別するために使用することができる。例えば、ＬＥＤにより生成された光出力５３４を、携帯電話５１０を該光出力５３４内へ移動させることにより該携帯電話５１０のカメラにより受光することができる。前述したように、該光出力５３４は接続開始データを含む符号化光出力に符号化することができる。該接続開始データは、携帯電話５１０により、ＬＥＤ５３２に関連する照明コントローラとの接続を開始するために使用することができる。
【００６３】
［００７８］幾つかの実施態様において、携帯電話５１０にオプションとして供給される如何なる接続開始データも、照明コントローラ識別子を含むことができる。該照明コントローラ識別子は、Wi-Fi及び／又はブルートゥースプロトコルを使用する接続等の、当該照明コントローラと携帯電話５１０との間の別のネットワーク接続を確立するために使用することができる。例えば、該照明コントローラ識別子は、携帯電話５１０により当該照明コントローラとの接続を確立するために使用することができる。幾つかの実施態様では、携帯電話５１０により当該照明コントローラにオプションとして供給される如何なる接続開始データも、携帯電話識別子を含むことができる。該携帯電話識別子は、当該照明コントローラと携帯電話５１０との間の別のネットワーク接続を確立するために使用することができる。例えば、該携帯電話識別子は、当該照明コントローラにより該照明コントローラと携帯電話５１０との間の接続を確立するために使用することができる。
【００６４】
［００７９］幾つかの実施態様において、上記照明コントローラにより上記別のネットワーク接続を介して供給される接続開始データ及び／又は追加のデータは、携帯電話５１０により該携帯電話５１０上の照明制御アプリケーションを起動するために使用することができる。例えば、上記接続開始データ及び／又は追加のデータは照明制御アプリケーションプログラムデータを含むことができ、該照明制御アプリケーションプログラムデータ自身が、携帯電話５１０上の上記照明制御アプリケーションを実行するために該携帯電話５１０により実行されるべきコードを含むことができる。また、例えば、上記接続開始データ及び／又は追加のデータは、携帯電話５１０により該携帯電話５１０上の照明制御アプリケーションを実行するために及び／又は該携帯電話５１０を介して照明制御アプリケーションにアクセスするために使用することができる照明制御アプリケーションロケーションデータを含むことができる。例えば、照明制御アプリケーションロケーションデータはインターネットアドレスを供給することができ、該インターネットアドレスから照明制御アプリケーションコードを受信して当該携帯電話５１０上で実行することができる。また、例えば、照明制御アプリケーションロケーションデータは、携帯電話５１０が当該照明制御アプリケーションにアクセスするために使用することができるインターネットアドレスを供給することができる。例えば、照明制御アプリケーションは離れた計算装置上で実行することができ、携帯電話５１０は該携帯電話のウェブブラウザを介して該照明制御アプリケーションにアクセスし、該照明制御アプリケーションの使用を可能にすることができる。
【００６５】
［００８０］幾つかの実施態様において、上記接続開始データは、制御されるべき特定のグループの１以上のＬＥＤを識別するＬＥＤグループ識別子を更に又は代わりに含むことができる。例えば、図５Ａ及び図５Ｂにおいて、ＬＥＤグループ識別子は光出力５３４を生成するＬＥＤ５３２を識別することができる。幾つかの実施態様において、前記照明コントローラ識別子及び該ＬＥＤグループ識別子は同一とすることができる。例えば、幾つかの実施態様において、当該ＬＥＤグループは、当該照明コントローラにより制御されるＬＥＤグループのみであり得る。幾つかの実施態様において、照明コントローラ識別子及びＬＥＤグループ識別子は異なるものであり得る。例えば、幾つかの実施態様においては、複数のＬＥＤグループが当該照明コントローラにより制御され得ると共に、ＬＥＤグループ識別子を、携帯電話５１０を介して何のＬＥＤグループを制御すべきかを示すために使用することができる。
【００６６】
［００８１］幾つかの実施態様においては、携帯電話５１０を介して複数の照明コントローラ及び／又は複数のＬＥＤグループを制御することができる。例えば、携帯電話５１０のセンサは接続開始データを複数のＬＥＤグループから同時に又は異なる時点に受信することができる。接続は携帯電話５１０と複数のＬＥＤグループを制御する１以上の照明コントローラとの間で確立することができ、該複数のＬＥＤグループは携帯電話５１０を介して同時に制御される。例えば、幾つかの実施態様において、携帯電話５１０のセンサは、第１ＬＥＤグループに関連する接続開始データ及び第２ＬＥＤグループに関連する接続開始データを同時に受信することができる。また、例えば、幾つかの実施態様において、携帯電話５１０のセンサは第１ＬＥＤグループに関連する第１接続開始データを該携帯電話５１０の第１の位置で受信することができ、該携帯電話５１０はユーザにより第２の位置に移動され得、次いで該携帯電話５１０は第２ＬＥＤグループに関連する第２接続開始データを受信することができる。当該接続開始データは、上記第１及び第２ＬＥＤグループを制御する１以上の照明コントローラとの通信を確立するために使用することができる。例えば、単一のコントローラが上記第１及び第２ＬＥＤグループを制御することができるか、又は第１照明コントローラが第１ＬＥＤグループを制御することができる一方、第２照明コントローラが第２ＬＥＤグループを制御することができる。
【００６７】
［００８２］また、例えば、照明コントローラは、各々が固有のＬＥＤグループに関連付けられた複数のセンサ（例えば、ＮＦＣセンサ）から携帯電話識別データを同時に又は異なる時点で受信することができる。該照明コントローラにより携帯電話５１０との接続を確立することができ、上記複数のＬＥＤグループは携帯電話５１０から受信されたデータを介して該照明コントローラにより同時に制御することができる。例えば、幾つかの実施態様において、照明コントローラ１２０は、第１センサから携帯電話５１０からの携帯電話識別データを示す入力を受信すると共に、第２センサからも携帯電話５１０からの携帯電話識別データを示す入力を受信することができる。第１センサは第１ＬＥＤグループに関連付けられたものであり得る一方、第２センサは第２ＬＥＤグループに関連付けられたものであり得る。上記携帯電話識別データは、例えば、第１及び第２ＬＥＤグループに関連付けられたＮＦＣセンサの近傍への携帯電話５１０の配置を介して受信され得る。前記照明コントローラは該携帯電話５１０との接続を確立することができ、該携帯電話を介して第１ＬＥＤグループ及び第２ＬＥＤグループの同時的制御を可能にすることができる。
【００６８】
［００８３］前記照明制御アプリケーションは、オプションとして、同時に制御する１以上のＬＥＤグループを選択するために、及び／又は１以上のＬＥＤグループを他のＬＥＤグループと同時に制御されることから選択解除するために使用することができる。例えば、第１ＬＥＤグループに関連する接続開始データ及び第２ＬＥＤグループと関連する接続開始データが受信された場合、ユーザは上記照明制御アプリケーションを介して該第１ＬＥＤグループ及び第２ＬＥＤグループのグループ化を確認することができる。また、例えば、第１ＬＥＤグループに関連する接続開始データ及び第２ＬＥＤグループと関連する接続開始データが受信された場合、ユーザは上記照明制御アプリケーションを介して第１ＬＥＤグループ及び第２ＬＥＤグループのうちの一方のみを制御するように選択することができる。
【００６９】
［００８４］幾つかの実施態様において、接続を確立するためのユーザ行動は、携帯電話５１０上の照明制御アプリケーションにアクセスすると共にユーザが制御したい１以上のＬＥＤのグループを、制御すべきＬＥＤグループの表示から選択することにより、該１以上のＬＥＤのグループに特に向けることができる。例えば、照明制御アプリケーションは制御することができるＬＥＤグループのマッピング及び／又は他のリストを表示することができる一方、ユーザは携帯電話５１０を用いて斯かるＬＥＤグループのうちの１以上を選択することができる。如何なるマッピング及び／又は他のリストにも、オプションとして、ユーザが所望のＬＥＤグループを識別することができるようにＬＥＤグループの記述子、視覚的指示子及び／又は他の識別子を設けることができる。幾つかの実施態様において、照明制御アプリケーションは、制御することが可能なＬＥＤグループを、これらＬＥＤグループを制御する１以上の照明コントローラとのネットワーク通信を介して識別することができる。例えば、照明コントローラは、ＬＥＤグループのリストを照明制御アプリケーションに携帯電話５１０とのネットワーク通信を介して供給することができる。幾つかの実施態様において、ユーザは照明制御アプリケーションを介して１以上のＬＥＤのグループを選択することができ、照明コントローラは該グループに、選択された該グループの視覚的指示情報を該グループの１以上のＬＥＤの低周波点滅（pulsating）及び／又は１以上のＬＥＤによる他の視覚的指示情報を介して供給するようにさせることができる。例えば、照明コントローラは、１以上のＬＥＤに数回点滅するように指示することができ、及び／又は斯かるＬＥＤの１以上に或る期間にわたり特定のカラーの光を供給させることができる。前述したように、携帯電話５１０を介してアクセスされる如何なる照明制御アプリケーションも、携帯電話５１０上で及び／又は１以上の遠隔の計算装置上で実行することができる。
【００７０】
［００８５］幾つかの実施態様において、モバイル計算装置と１以上の照明コントローラとの間の接続は、ＬＥＤ照明構成（設定）のユーザ指示に応答して開始され得る。例えば、ユーザ行動がＬＥＤ照明構成を起動し得る。例えば、モバイル計算装置１１０を介してのボタン又はユーザインターフェースの操作（例えば、前記照明制御アプリケーションにおけるユーザインターフェースエレメントの選択）が、ＬＥＤ照明構成を起動し得る。また、例えば、幾つかの実施態様において、ＬＥＤ照明構成は、モバイル計算装置５１０の該モバイル計算装置が接続開始データを受信するような移動に応答して開始され得る。幾つかの実施態様において、受信される接続開始データは、当該ＬＥＤ照明構成が開始されるより前に、少なくとも閾強度のものでなければならない。例えば、通信開始データが符号化光に含まれるような実施態様では、該符号化光は少なくとも閾強度レベルのものでなければならない。また、例えば、通信開始データがＮＦＣデータに含まれるような実施態様では、ＮＦＣ場は少なくとも閾強度レベルのものでなければならない。
【００７１】
［００８６］幾つかの実施態様において、モバイル計算装置と照明コントローラとの間の接続を確立するために認証が必要とされ得る。例えば、特定のモバイル計算装置のみが、当該照明コントローラとの接続を確立するために認証されたものとして識別することができる。また、例えば、照明制御アプリケーションをインストール及び／又は実行する際に、ユーザはユーザ名及び／又はパスワード等の認証情報を供給することを要求され得る。追加の及び／又は代わりの形態のユーザ及び／又はモバイル計算装置認証を用いることもできる。
【００７２】
［００８７］ステップ２０５において、ユーザジェスチャデータが当該モバイル計算装置から受信される。例えば、照明コントローラ１２０はモバイル計算装置１１０からユーザジェスチャデータを受信することができる。該ユーザジェスチャデータは、ステップ２００において照明コントローラ１２０とモバイル計算装置１１０との間で確立された接続を介して供給され得る。該ユーザジェスチャデータは、当該ユーザによる空間内でのモバイル計算装置１１０の物理的移動に応答して該モバイル計算装置から受信され得る。本明細書で説明されるように、ユーザジェスチャデータはモバイル計算装置１１０の１以上のセンサ１１２を介して受信される入力（物理的移動データ）に基づいて決定することができる。幾つかの実施態様において、ユーザジェスチャデータはモバイル計算装置１１０により図３のステップ３１０に関して説明されるように決定され得る。
【００７３】
［００８８］ステップ２１０において、少なくとも１つの照明特性調整が上記ユーザジェスチャデータに基づいて決定される。例えば、１以上のＬＥＤにより供給される光出力の輝度、カラー、ビーム幅及び／又はビーム方向の照明特性調整を、上記ユーザジェスチャデータに基づいて決定することができる。ステップ２１５において、ステップ２１０で決定された照明特性調整が実施される。例えば、照明コントローラは当該照明特性調整を、１以上のＬＥＤを駆動し、１以上のＬＥＤを非活性化し、１以上のＬＥＤの光出力特性（例えば、カラー、輝度、色温度）を変化させ、及び／又は１以上のＬＥＤに関連された１以上の機械的及び／又は電気的光学構造を変化させる（例えば、１以上のＬＥＤに関連される光学レンズを配置し直す、１以上の光学レンズの光学特性を変化させる）ことにより実施することができる。以下には、ユーザジェスチャデータに基づいて決定することができる例示的な照明特性調整及び斯かる照明特性調整の実施例に関する多数の例を、図６Ａ〜図１６Ｂを参照して説明する。これらの例においては、携帯電話５１０を介してのユーザジェスチャが説明されると共に、該説明されたユーザジェスチャに応答したユーザジェスチャデータに基づいて実施することができる照明特性調整が説明され、且つ、該説明された照明特性調整の実施例が説明される。本開示の利益を享受した当業者であれば、説明されたユーザジェスチャに応答して、並びに／又は更なる及び／若しくは代わりのユーザジェスチャに応答して、更なる及び／又は代わりの調整を実施することができることを認識及び理解することができるであろう。
【００７４】
［００８９］図６Ａ及び図６Ｂを参照すると、面６０５のＬＥＤ６３２Ａにより生成される光出力６３４Ａは、図６Ａの位置から図６Ｂの位置への携帯電話５１０のユーザによる移動に基づいて面６０５のＬＥＤ６３２Ｂにより生成される光出力６３４Ｂにより置き換えられている。光出力６３４Ｂは、光出力６３４Ａとは異なる位置の別のＬＥＤにより供給される。図６Ａに示されたように、携帯電話５１０はＬＥＤ６３２Ａにより生成される光出力６３４Ａ内へと移動することができ、該携帯電話５１０のカメラを、該光出力６３４Ａを感知するために使用することができる。幾つかの実施態様において、光出力６３４Ａは、オプションとして、ＬＥＤ６３２Ａに固有の符号化光とすることができる。携帯電話５１０は、オプションとして、光出力６３４Ａを感知する上記カメラからのデータを使用して、該携帯電話５１０が光出力６３４Ａを感知していることを示すユーザジェスチャデータを決定することができる。次いで、ユーザは該携帯電話５１０を図６Ｂに示されるような他の位置へ移動させることができる。幾つかの実施態様において、携帯電話５１０のユーザは、光出力６３４を“捕らえる（grab）”ために該携帯電話５１０を介して固有のユーザ入力を供給し（例えば、照明制御アプリケーション内のスクリーン上のエレメント又はボタンを押し）、次いで図６Ｂの位置への携帯電話５１０の移動を行うことができる。上記ユーザ入力は、携帯電話５１０が新たな位置へ移動されようとしており、照明が該新たな位置に供給されるべきであることを示すために前記照明コントローラに供給することができる。
【００７５】
［００９０］ＬＥＤ６３２Ｂからの光出力６３４Ｂが発生され得ると共に、携帯電話５１０のカメラにより感知され得る。幾つかの実施態様において、光出力６３４Ｂは、オプションとして、ＬＥＤ６３２Ｂに固有の符号化光とすることができる。幾つかの実施態様において、光出力６３４Ｂは、オプションとして、携帯電話５１０により供給される該携帯電話が光出力６３４Ａを最早感知していないことを示すユーザジェスチャデータに応答して、又は携帯電話５１０が新たな位置へ移動されようとしていることを示すユーザ入力に応答して供給することができる。携帯電話５１０は、該携帯電話が図６Ｂの位置にある場合、該携帯電話が光出力６３４Ｂを感知していることを示すユーザジェスチャデータを供給することができる。このようなユーザジェスチャデータに基づいて、なされるべき照明特性調整は光出力６３４Ｂが供給されるべきであると、照明コントローラは決定することができる。ここに説明したように、ユーザジェスチャデータは、携帯電話５１０のカメラを介し、供給される光出力を該カメラが感知することに応答して受信されるデータに基づくものであり得る。
【００７６】
［００９１］幾つかの実施態様においては、ＬＥＤ６３２Ａを囲む複数のＬＥＤグループからの光出力を、これら光出力のうちの１以上が図６Ｂの位置における携帯電話５１０により感知されるまで供給することができる。例えば、ＬＥＤ６３２Ａを囲むＬＥＤグループの各々は、少なくとも閾値輝度の光出力が図６Ｂの位置における携帯電話５１０のカメラにより感知されるまで、光出力を短時間だけ供給することができる。該携帯電話５１０は、光出力６３４Ｂが受信されていることを示すユーザジェスチャデータを供給することができる。幾つかの実施態様において、ユーザは図６Ｂにおける携帯電話５１０の位置が目標位置であることを指示することができ、照明調整は斯かる指示に基づいて決定される。例えば、ユーザは携帯電話５１０が図６Ｂの位置にある場合に該携帯電話５１０を介して特定のユーザ入力を供給する（例えば、ボタンを押す、スクリーン上のエレメントを活性化する、又はコマンドを話す）ことにより、光出力６３４Ｂを“固定”させることができる。前述したように、ＬＥＤ６３２Ａ及び６３２Ｂ（及び、オプションとして、他の隣接するＬＥＤ）は、これらＬＥＤ６３２Ａ及び６３２Ｂの各々を識別する符号化光出力を供給することができ、携帯電話５１０のカメラは該符号化光出力を受光するために使用することができ、該携帯電話は受光された該符号化光出力を処理して、該携帯電話５１０が各符号化光出力（及び／又は何れかの受光される符号化光出力の輝度）を受けているかを示すユーザジェスチャデータを供給することができる。幾つかの実施態様において、上記光出力は符号化されていないものであり得る。例えば、光出力６３４Ｂは或る期間にわたり光出力６３４Ａが同時に供給されることなしに供給することができ、携帯電話５１０は該期間の間に少なくとも閾値輝度の光出力を受光していることを示すユーザジェスチャデータを供給することができる。このようなユーザジェスチャデータに基づいて、照明コントローラは、図６Ｂの位置における携帯電話５１０により受光される光出力が光出力６３４Ｂであると判定することができる。幾つかの実施態様においては、ＬＥＤ６３２Ａ及び６３２Ｂに加えてＬＥＤグループからの光出力も供給することができ、携帯電話５１０が図６Ａの位置と図６Ｂの位置との間で移動される場合に該携帯電話５１０により感知することができる。オプションとして、当該携帯電話が図６Ａの位置と図６Ｂの位置との間で移動される際に、斯様な追加の光出力の受光を示すユーザジェスチャデータを供給することもできる。
【００７７】
［００９２］幾つかの実施態様において、図６Ａ及び／又は図６Ｂにおける携帯電話５１０の位置は、該携帯電話５１０の位置の指示情報を供給する該携帯電話５１０のＧＰＳセンサからの入力を介して決定されるユーザジェスチャデータに基づいて決定することができる。幾つかの実施態様において、図６Ａ及び／又は図６Ｂにおける携帯電話５１０の位置は、該携帯電話５１０において受ける磁場の指示情報を供給する該携帯電話５１０の磁場センサ（例えば、ホール効果センサ）からの入力を介して決定されるユーザジェスチャデータに基づいて決定することができる。受信される上記ユーザジェスチャデータに基づいて、照明コントローラは携帯電話５１０の位置を決定することができる。例えば、照明コントローラは、供給することができる光出力の範囲（例えば、ビーム方向及びビーム幅に合致する方向及び幅）に概ね合致する磁場等の、既知の磁場を発生することができる（例えば、面６０５における１以上の電磁石を介して）。携帯電話５１０の上記磁場センサは、該携帯電話５１０で受ける磁場の磁場強度及び方向を示すデータを発生するために使用することができ、磁場強度及び方向を示すユーザジェスチャデータが該発生されたデータに基づいて決定される。該決定されたユーザジェスチャデータは、次いで、照明コントローラに供給することができる。上記磁場の既知のパラメータに基づいて、該照明コントローラは携帯電話５１０の位置を決定することができ、及び／又は当該磁場内における該携帯電話５１０の位置を該携帯電話が移動される際に追跡することができる。例えば、磁場強度及び／又は方向に対する位置のマッピングを用いて、携帯電話５１０の位置を決定することができる。また、例えば、磁場強度及び／又は方向に対するＬＥＤのマッピングを用いて、１以上のＬＥＤに対する携帯電話５１０の位置を決定することができる。幾つかの実施態様においては、個々のＬＥＤ及び／又はＬＥＤグループにコイルを対として設けることができ、これらコイルは斯かるＬＥＤ及び／又はＬＥＤグループにより生成され得るビームの方向に概ね合致する磁場を生成する。
【００７８】
［００９３］図７Ａ及び図７Ｂを参照すると、ＬＥＤグループ７３２Ａ及び７３２Ｂの各々により生成される光出力７３４Ａ及び７３４Ｂのビーム角が、携帯電話５１０に向けられるように調整される。携帯電話５１０は図７Ａに示される位置へ移動され得る。ＬＥＤ７３２Ａにより生成される光出力７３４Ａ、ＬＥＤ７３２Ｂにより生成される光出力７３４Ｂ及びＬＥＤ７３２Ｃにより生成される光出力７３４Ｃは、全て、スマートフォン５１０のカメラにより感知することができる。幾つかの実施態様において、光出力７３４Ａ〜Ｃは、ＬＥＤ７３２Ａ〜Ｃの各々に固有の符号化光出力であり得る。携帯電話５１０は、光出力７３４Ａ〜Ｃの各々から受ける光出力の強度を示すユーザジェスチャデータを該携帯電話５１０の位置における該携帯電話５１０のカメラを介して供給することができる。図７Ａにおける光出力７３４Ａ〜Ｃにより同様の光出力強度が供給されると仮定すると、図７Ａの位置において、携帯電話５１０により受光される光出力７３４Ａに対応する光出力の強度は、携帯電話５１０により受光される光出力７３４Ｂ及び７３４Ｃに対応する光出力の強度より大きい。携帯電話５１０により照明コントローラに供給されるユーザジェスチャデータは、このことを示すことができ、該照明コントローラは光出力７３４Ｂ及び７３４Ｃのビーム角を、携帯電話５１０からの更なるデータが、光出力７３４Ｂ及び７３４Ｃに対応して受光される光出力の強度が閾値強度を満足することを示すまで調整することができる。幾つかの実施態様において、上記閾値強度は、光出力７３４Ａから受ける光出力の強度に基づくものとすることができる（例えば、該光出力７３４Ａの強度の或るパーセンテージ）。幾つかの実施態様において、上記閾値強度は光出力７３４Ｂ及び７３４Ｃから受ける光出力の複数の強度値に基づくものとすることができる。例えば、光出力７３４Ｂに関して複数のビーム角調整を実施することができ、該光出力７３４Ｂに関する閾値強度は、該光出力７３４Ｂに関する上記複数のビーム角調整からの携帯電話５１０で受光された光出力７３４Ｂの最大光出力強度に基づくものとすることができる。幾つかの実施態様において、ユーザは図７Ａ及び図７Ｂにおける携帯電話５１０の位置が目標位置であることを指示することができ、照明調整は斯様な指示に基づいて決定することができる。例えば、ユーザは携帯電話５１０が図７Ａの位置にある際に該携帯電話５１０を介して特定のユーザ入力を供給し、携帯電話５１０の該位置を光出力７３４Ａ〜Ｃに対する目標位置として設定することができる。
【００７９】
［００９４］携帯電話５１０により照明コントローラに供給されるデータに基づいて、該照明コントローラは、図７Ｂに示されるような光出力７３４Ｂ及び７３４Ｃのビーム角が図７Ｂの位置における携帯電話５１０上にＬＥＤ７３２Ｂ及び７３２Ｃの各々から最大強度の光出力を供給すると判定することができる。このような指示情報に基づいて、当該照明特性調整は光出力７３４Ｂ及び７３４Ｃの照明ビーム角を図７Ｂに示されるものに調整することであると決定することができる。幾つかの実施態様において、光出力７３４Ａ〜Ｃは符号化することができる。例えば、光出力７３４Ａ〜Ｃの各々は当該照明特性調整が決定される場合の重なり合わない期間の間に供給することができ、携帯電話５１０は斯かる期間の各々の間に光出力強度を示すユーザジェスチャデータを供給することができる。このような指示情報に基づいて、携帯電話５１０により受光される光出力の各々から受ける光出力強度を決定することができる。
【００８０】
［００９５］幾つかの実施態様において、携帯電話５１０のユーザは、ＬＥＤグループ７３２Ａ〜７３２Ｃ（及び／又は他のＬＥＤグループ）のうちの何れから光出力が該携帯電話５１０に向かって向け直されねばならないかを指示することができる。例えば、携帯電話５１０上で動作している照明制御アプリケーションを、符号化光が受信されるＬＥＤグループ及び／又は他の隣接するＬＥＤグループをユーザに提示するために使用することができ、ユーザは該携帯電話５１０を介して斯かるＬＥＤグループのうちの１以上を選択することができる。また、例えば、ユーザは含めるべきＬＥＤグループを、携帯電話５１０のカメラを斯かるＬＥＤグループに向けて少なくとも閾値強度のＬＥＤグループから符号化光出力を受入することにより選択することができ、オプションとして該ＬＥＤグループを含めることを、携帯電話５１０を介して確認することができる。ユーザはＬＥＤグループにより供給される光の目標位置を、例えば、該ＬＥＤグループの選択の後に最も近いＬＥＤグループを指し示すことにより及び／又は該携帯電話５１０を介しての該最も近いＬＥＤグループの選択により固定することができる。ユーザは同じグループのＬＥＤ７３２Ａ〜Ｃに関する照明効果位置を携帯電話５１０の更なる移動により（オプションとして、携帯電話５１０を介してのユーザ入力との組み合わせで）図７Ｂに示される位置から更に変化させることができ、全てのＬＥＤの光出力７３４Ａ〜Ｃは、ここで説明したように、携帯電話５１０の方向に向けられるように再び最適化され得る。
【００８１】
［００９６］幾つかの実施態様において、図７Ａ及び／又は図７Ｂにおける携帯電話５１０の位置は、該携帯電話５１０において受ける磁場の指示情報を供給する該携帯電話５１０の磁場センサ（例えば、ホール効果センサ）からの入力を介して決定されるユーザジェスチャデータに基づいて決定することができる。受信されたユーザジェスチャデータに基づいて、照明コントローラは携帯電話５１０の位置を決定することができる。携帯電話５１０の上記磁場センサは、該携帯電話５１０において受ける磁場の強度及び方向を示すデータを発生するために使用することができ、該磁場強度及び方向を示すユーザジェスチャデータは該発生されるデータに基づいて決定される。決定されたユーザジェスチャデータは、次いで、照明コントローラに供給することができる。磁場の既知のパラメータに基づいて、照明コントローラは、当該磁場における携帯電話５１０の位置を決定し、光出力７３４Ｂ及び７３４Ｃを該決定された位置へ向けることができる。例えば、磁場の強度及び／又は方向に対する位置のマッピングを、携帯電話５１０の位置を決定するために利用することができる。また、例えば、磁場の強度及び／又は方向に対するＬＥＤのマッピングを、１以上のＬＥＤに対する携帯電話５１０の位置を決定するために利用することができる。幾つかの実施態様において、個々のＬＥＤ及び／又はＬＥＤグループにコイルを対として設けることができ、これらコイルは斯かるＬＥＤ及び／又はＬＥＤグループにより生成され得るビームの方向に概ね合致する磁場を生成する。
【００８２】
［００９７］図８Ａ及び図８Ｂを参照すると、ＬＥＤ８３２Ａにより生成される光出力８３４Ａは、携帯電話５１０の第１の向き（図８Ａ）から第２の向き（図８Ｂ）へのユーザによる移動に基づいてＬＥＤ８３２Ｂにより生成される光出力８３４Ｂにより置き換えられる。光出力８３４Ｂは光出力８３４Ａと同一の目標位置に向けられるが、異なるビーム角においてであり、別のグループのＬＥＤにより供給される。図８Ａに示されるように、携帯電話５１０はＬＥＤ８３２Ａにより生成される光出力８３４Ａ内に移動することができ、該携帯電話５１０のカメラが該光出力８３４Ａを感知するために使用される。幾つかの実施態様において、光出力８３４ＡはオプションとしてＬＥＤ８３２Ａに固有の符号化光出力とすることもできる。携帯電話５１０は、該携帯電話が光出力８３４Ａを感知していることを示すユーザジェスチャデータを供給することができる。本明細書で説明したように、該ユーザジェスチャデータは、供給される光出力をカメラが感知することに応答して携帯電話５１０の該カメラを介して受信されるデータに基づくものとすることができる。この場合、ユーザは携帯電話５１０を図８Ｂに図示されたような他の向きに動かすことができる。幾つかの実施態様において、携帯電話５１０のユーザは光出力８３４Ａを“捕らえる”ために該携帯電話５１０を介して固有のユーザ入力を供給し、次いで、該携帯電話５１０の図８Ｂの向きへの動きを行うことができる。上記ユーザ入力は照明コントローラに、携帯電話５１０が新たな向きに動かされることを示すと共に、該携帯電話５１０に向けられ、且つ、上記新たな向きに基づくビーム角におけるものである照明が供給されるべきであることを示すために供給することができる。
【００８３】
［００９８］携帯電話５１０が図８Ｂの向きであることを示すユーザジェスチャデータは、該携帯電話５１０の加速度計等の、該携帯電話５１０の１以上のセンサからの物理的移動データに基づいて決定することができる。光出力８３４Ｂは、該ユーザジェスチャデータにより示される携帯電話５１０の向きに基づくビーム角で供給することができる。幾つかの実施態様において、光出力８３４Ｂの該ビーム角は、携帯電話５１０とビーム角との間の絶対マッピングに基づくものとすることができる。例えば、携帯電話５１０が正確な水平姿勢（図８Ａ）に保持される場合、真っ直ぐ下方に向けられた光出力８３４Ａが供給される一方、携帯電話５１０が方向的に水平姿勢から約１０°傾斜された場合、同じ方向に略同じ角度だけ傾斜された光出力８３４Ｂが供給される。幾つかの実施態様において、上記絶対マッピングは、光出力が、光センサとして利用することが可能なカメラを有する当該スマートフォンの前面又は背面に実質的に垂直となるように向けられるようなものとすることができる。このことは、ＬＥＤからの供給光を受光するための上記カメラの利用を可能にすることができ、該供給光を、照明効果を微調整するために使用することができる（例えば、該カメラで受光される光出力の光強度を最大にすべく供給光の角度の微妙な調整を行うことにより）。
【００８４】
［００９９］幾つかの実施態様において、光出力８３４Ｂのビーム角は、携帯電話５１０とビーム角との間の相対マッピングに基づくものとすることができる。このような場合において、携帯電話５１０及び供給される光ビームの向きは１以上の向きに対して同一とならないかもしれないが、光ビームの角度は携帯電話５１０の向きに基づいたものとなり得る。例えば、幾つかの実施態様において、二対一マッピング（携帯電話５１０の２°の動きが光ビームの１°の動きとなる）を携帯電話５１０の１以上の向きに対して使用することができる。また、光ビームの角度の変化を制御するために、一対二マッピング（携帯電話５１０の１°の動きが光ビームの２°の動きとなる）を携帯電話５１０の１以上の向きに対して使用することができる。幾つかの実施態様において、斯かるマッピングの細かさは、携帯電話５１０の向きに依存し得る。例えば、当該光ビームが垂直に対して近いほど、より細かな制御を行うことができる。幾つかの実施態様において、照明効果は携帯電話５１０の向きの変化を示すユーザジェスチャデータが受信されると実質的に瞬時に調整され、かくして、ユーザが照明効果に対して直接的な制御を有するようにする。幾つかの実施態様において、携帯電話５１０のユーザは、光出力８３４Ｂを“固定”するために、該携帯電話５１０を介して固有のユーザ入力を供給することができる。従って、ユーザが光出力８３４Ｂのジェスチャにより指定されたビーム角に満足する場合、ユーザは、当該光出力８３４Ｂのビーム角をなされるべき照明特性調整として識別すると共に、オプションとして、当該ジェスチャ制御モードから離脱するために、スクリーン上のボタンを押下し、及び／又は発声コマンド（例えば、“固定せよ”、“保存せよ”）を使用することができる。
【００８５】
［０１００］幾つかの実施態様において、当該携帯電話のカメラ及び方位センサを介して供給されるユーザジェスチャデータに基づいて、利用可能な照明効果を決定することができ、並びに／又は該照明効果を調整及び／若しくは微調整することができる。例えば、携帯電話を第１の向きと第２の向きとの間で動かすことができる。携帯電話の方位センサは、該第１の向き及び第２の向きを示すユーザジェスチャデータを供給することができる。携帯電話のカメラは、第１の向きのＬＥＤのマッピング及び第２の向きのＬＥＤのマッピングを示すユーザジェスチャデータを供給することもできる。ＬＥＤは、第１の向きの１以上のＬＥＤの位置及び第２の向きの１以上のＬＥＤの位置の決定を可能にするために符号化光出力を供給することができる。上記向き及びマッピングを示すユーザジェスチャデータは、前記コントローラに供給されて、上記１以上のＬＥＤにより供給される光の方向性の決定を可能にすることができる。例えば、当該携帯電話の第１の向きにおいて第１ＬＥＤは第１位置（例えば、当該カメラを介してキャプチャされる画像の右上の角）にマッピングされ得ると共に、該携帯電話の第２の向きにおいて該ＬＥＤは第２位置（例えば、当該カメラを介してキャプチャされる画像の左下の角）にマッピングされ得る。この位置情報を上記第１の向き及び第２の向きと比較すれば、第１ＬＥＤにより供給される光出力の方向性の指示情報が得られる。このことは、当該ＬＥＤを介して何の照明効果を達成することができるかを通知するために、該第１ＬＥＤ（及び、オプションとして、追加のＬＥＤ）の光出力の方向の決定を可能にし得る。このことは、加えて及び／又は代わりに、該第１ＬＥＤにより供給される光出力の角度の調整及び／又は微調整を可能にして、該光出力を所望の方向に変更することを可能にし得る。追加の向きにおける上記方位センサ及びカメラを介して更なるユーザジェスチャデータをオプションとして決定して、第１ＬＥＤにより供給される光出力の新たな角度を決定することができ、斯様な向きをオプションとして更に微調整することができる。
【００８６】
［０１０１］図９Ａ及び図９Ｂを参照すると、ＬＥＤ９３２Ａにより生成される光出力９３４Ａは、携帯電話５１０の第１の向き（図９Ａ）から第２の向き（図９Ｂ）へのユーザによる移動に基づいてＬＥＤ９３２Ｂにより生成される光出力９３４Ｂにより置き換えられる。光出力９３４Ｂは光出力９３４Ａと同一の目標位置に向けられるが、異なるビーム角においてであり、別のグループのＬＥＤにより供給される。図９Ａに示されるように、携帯電話５１０は、ＬＥＤ９３２Ａにより生成される光出力９３４Ａの外部であるが該光出力の近傍に移動させることができる。携帯電話５１０及びＬＥＤ９３２Ａは、前記ステップ２００で説明したようにして互いに関連付けることができる（例えば、ＮＦＣ通信）。図９Ａにおいて、当該携帯電話の向きは垂直であり、光出力９３４Ａの向きも同様に垂直である。ユーザは、次いで、携帯電話５１０を図９Ｂに示すように他の向きへと動かすことができる。幾つかの実施態様において、携帯電話５１０のユーザは光出力９３４Ａを“捕らえる”ために該携帯電話５１０を介して固有のユーザ入力を供給し、次いで該携帯電話５１０の図９Ｂにおける向きへの動きを行うことができる。上記ユーザ入力は照明コントローラへ、携帯電話５１０が新たな向きへと動かされることを示すと共に、該携帯電話５１０に向けられると共に上記新たな向きに基づくビーム角である照明が供給されるべきであることを示すために供給することができる。
【００８７】
［０１０２］携帯電話５１０が図９Ｂの向きであることを示すユーザジェスチャデータは、該携帯電話５１０の加速度計等の、該携帯電話５１０の１以上のセンサからの物理的移動データに基づいて決定することができる。光出力９３４Ｂは、該ユーザジェスチャデータにより示される携帯電話５１０の向きに基づくビーム角で供給することができる。幾つかの実施態様において、光出力９３４Ｂの該ビーム角は、携帯電話５１０とビーム角との間の絶対マッピングに基づくものとすることができる。幾つかの実施態様において、光出力９３４Ｂのビーム角は、携帯電話５１０とビーム角との間の相対マッピングに基づくものとすることができる。幾つかの実施態様において、携帯電話５１０のユーザは、光出力９３４Ｂを“固定”するために、該携帯電話５１０を介して固有のユーザ入力を供給することができる。
【００８８】
［０１０３］図９Ａ及び図９Ｂの例において、光出力の目標位置は一定に維持される一方、照明効果を供給するＬＥＤは光ビームの角度を変更するために変化される。このような構成は対象の位置が既知である場合に有効であり得、この対象に対する照明を種々の方向から行うことができるＬＥＤアレイが存在する。幾つかの実施態様において、加えて及び／又は代わりに、供給される光出力の角度を制御し、光源位置は一定に維持するが当該光出力の目標位置を変化させることも可能である。例えば、図１０Ａ及び図１０Ｂを参照すると、ＬＥＤ１０３２Ａにより生成される光出力１０３４Ａは、携帯電話５１０の第１の向き（図１０Ａ）から第２の向き（図１０Ｂ）へのユーザによる動きに基づいて、これもＬＥＤ１０３２Ａにより生成される光出力１０３４Ｂにより置き換えられる。図１０Ａ及び図１０Ｂに示されるように、当該光出力のビーム角は図１０Ａと図１０Ｂとの間で変化されるが、該光出力は図１０Ａ及び１０Ｂの両方においてＬＥＤ１０３２Ａが生成する。また、図１０Ｂにおける光出力１０３２Ｂの目標位置は図１０Ａにおける光出力１０３４Ａの目標位置とは異なるが、図９Ａ及び図９Ｂにおける光出力９３４Ａ及び９３４Ｂに関する目標位置は実質的に同一である。
【００８９】
［０１０４］図１０Ａに示されるように、携帯電話５１０は、ＬＥＤ１０３２Ａにより生成される光出力１０３４Ａの外部であるが該光出力の近傍に移動させることができる。携帯電話５１０及びＬＥＤ１０３２Ａは、前記ステップ２００で説明したようにして互いに関連付けることができる（例えば、ＮＦＣ通信）。図１０Ａにおいて、当該携帯電話の向きは垂直であり、光出力１０３４Ａの向きも同様に垂直である。ユーザは、次いで、携帯電話５１０を図１０Ｂに示すように他の向きへと動かすことができる。幾つかの実施態様において、携帯電話５１０のユーザは光出力１０３４Ａを“捕らえる”ために該携帯電話５１０を介して固有のユーザ入力を供給し、次いで該携帯電話５１０の図１０Ｂにおける向きへの動きを行うことができる。上記ユーザ入力は照明コントローラへ、携帯電話５１０が新たな向きへと動かされることを示すと共に、該携帯電話５１０に向けられると共に上記新たな向きに基づくビーム角である照明が供給されるべきであることを示すために供給することができる。
【００９０】
［０１０５］携帯電話５１０が図１０Ｂの向きであることを示すユーザジェスチャデータは、該携帯電話５１０の１以上のセンサからの物理的移動データに基づいて決定することができる。光出力１０３４Ｂは、該ユーザジェスチャデータにより示される携帯電話５１０の向きに基づくビーム角で供給することができる。幾つかの実施態様において、光出力１０３４Ｂの該ビーム角は、携帯電話５１０とビーム角との間の絶対マッピングに基づくものとすることができる。幾つかの実施態様において、光出力１０３４Ｂのビーム角は、携帯電話５１０とビーム角との間の相対マッピングに基づくものとすることができる。幾つかの実施態様において、携帯電話５１０のユーザは、光出力１０３４Ｂを“固定”するために、該携帯電話５１０を介して固有のユーザ入力を供給することができる。
【００９１】
［０１０６］幾つかの実施態様において、当該光出力が図９Ａ及び図９Ｂに従って調整されるか又は図１０Ａ及び図１０Ｂに従って調整されるかは、照明システムの構成及び／又は照明システムの能力に基づくものであり得る。幾つかの実施態様において、ユーザは斯かるオプションの間の選択を携帯電話５１０上で動作する照明制御プログラムを介して選択することができる。幾つかの実施態様において、何れのオプションが用いられるかは、携帯電話５１０の物理的位置に依存し得る。例えば、携帯電話５１０が当該光出力内に位置される場合（例えば、図８Ａ／図８Ｂ）、該光出力の目標位置は一定に維持される一方、ビーム角を変化させるが、該携帯電話５１０が当該光出力の外側に位置される場合（例えば、図１０Ａ／図１０Ｂ）、当該光ビームの光源位置は一定に維持される。携帯電話５１０が当該光出力の内部に位置するか又は外部に位置するかの決定は、ユーザジェスチャデータに基づくものとすることができる。例えば、携帯電話５１０のカメラは、該携帯電話が当該光出力の内側に位置する場合、少なくとも閾値強度の符号化光を検出することができ、そのようであることを、ユーザジェスチャデータを介して通知することができる。光出力が図９Ａ及び図９Ｂに従って調整されるか又は図１０Ａ及び図１０Ｂに従って調整されるかを選択する更なる及び／又は代わりの方法を用いることもできる。
【００９２】
［０１０７］図１１Ａ及び図１１Ｂを参照すると、ＬＥＤ１１３２Ａにより生成される光出力１１３４Ａは、携帯電話５１０の動きを介して定められる形状境界に基づいてＬＥＤ１１３２Ｂ（ＬＥＤ１１３２Ａの幾つか又は全てを含み得る）により生成される光出力１１３４Ｂにより置き換えられる。図１１Ａに点線により示されるように、携帯電話５１０は正方形を定める形状境界を移動され得る。携帯電話５１０によって該形状境界に沿う移動を示すユーザジェスチャデータを供給することができ、該ユーザジェスチャデータに基づいて、照明コントローラは該形状境界に実質的に合致した面積を持つ光出力１１３４Ｂを供給することができる。
【００９３】
［０１０８］幾つかの実施態様において、携帯電話５１０は図１１Ａに点線で示される経路に沿って移動され得る一方、該携帯電話５１０のカメラは該点線の経路に沿う種々の位置において符号化光出力を検出し、これら種々の位置において上記カメラにより受光される符号化光を示すユーザジェスチャデータを決定することができる。例えば、携帯電話５１０のユーザは該携帯電話５１０を介して固有のユーザ入力を供給し、所望の形状境界が該携帯電話５１０のユーザによる移動により定義されつつあることを示すことができる。これに応答して、照明コントローラは面１１０５上の全てのＬＥＤに符号化光出力を生成させることができ、生成される各符号化光出力はＬＥＤ面１１０５上のＬＥＤの１以上に固有のものとする。携帯電話５１０のカメラはＬＥＤ面１１０５に向けられ得る一方、該携帯電話５１０は図１１Ａの点線の経路に沿って移動され得る。該カメラからの入力に基づいて、携帯電話５１０は上記点線の経路に沿う種々の位置における最大強度の符号化光出力を決定することができる。該携帯電話５１０により、上記点線の経路に沿う種々の位置における最大強度の符号化光出力を示すユーザジェスチャデータを供給することができる。このようなユーザジェスチャデータに基づいて、照明コントローラは、上記のような符号化光出力に対応する全てのＬＥＤが活性化されると共に、斯様なＬＥＤの内側に位置する全てのＬＥＤが活性化されるようにすることにより、図１１Ｂの光出力１１３４Ｂを発生することができる。上記のようなＬＥＤの内側に位置するＬＥＤは、例えば、照明コントローラによりアクセス可能なＬＥＤのマッピングに基づいて識別することができる。
【００９４】
［０１０９］図１２Ａ及び図１２Ｂを参照すると、ＬＥＤ１２３２Ａにより生成される光出力１２３４Ａは、携帯電話５１０の第１の向き（図１２Ａ）から第２の向き（図１２Ｂ）へのユーザによる動きに基づいてＬＥＤ１２３２Ｂ（ＬＥＤ１２３２Ａの幾つか又は全てを含むことができる）により生成される光出力１２３４Ｂにより置き換えられる。図１２Ａに示されるように、携帯電話５１０は、ＬＥＤ１２３２Ａにより生成される光出力１２３４Ａの外部であるが該光出力の近傍に移動させることができる。携帯電話５１０及びＬＥＤ１２３２Ａは、前記ステップ２００で説明したようにして互いに関連付けることができる（例えば、ＮＦＣ通信）。図１２Ａにおいて、当該携帯電話の向きは水平面に沿って第１回転方位であり、光出力１２３４Ａは第１幅（図１２Ａにおいて左から右への）及び第１高（図１２Ａにおいて上から下への）を持つ面積を画定している。次いで、ユーザは該携帯電話５１０を、図１２Ｂに示すように上記第１回転方位から約９０度ずらされた当該水平面に沿う第２回転方位へと回転させることができる。携帯電話５１０の回転方位を示すユーザジェスチャデータは、該携帯電話により照明コントローラに供給することができる。幾つかの実施態様において、携帯電話５１０が図１２Ａ及び／又は図１２Ｂの方位であることを示す該ユーザジェスチャデータは、該携帯電話５１０の方位センサからの物理的移動データに基づいて決定することができる。幾つかの実施態様において、携帯電話５１０が図１２Ａ及び／又は図１２Ｂの方位であることを示す該ユーザジェスチャデータは、該携帯電話５１０のカメラセンサからの入力に基づいて決定することができる。例えば、図１２の位置の上記カメラからの画像を図１２Ｂの位置からのカメラの画像と比較して、図１２Ａから図１２Ｂへの当該携帯電話の回転の量を決定することができる。
【００９５】
［０１１０］図１２Ｂにおいて、光出力１２３４Ｂは、図１２Ａの第１幅より短い第２幅及び図１２Ａの第１高より高い第２高を有する面積を画定している。幾つかの実施態様において、携帯電話５１０のユーザは光出力１２３４Ａを“捕らえる”ために該携帯電話５１０を介して固有のユーザ入力を供給し、次いで該携帯電話５１０の図１２Ｂにおける向きへの動きを行うことができる。上記ユーザ入力は照明コントローラへ、携帯電話５１０が新たな向きへと動かされることを示すと共に、該新たな向きに基づく幅及び／又は高さを有する面積を持つ照明が供給されるべきであることを示すために供給することができる。幾つかの実施態様において、携帯電話５１０のユーザは、光出力１２３４Ｂを“固定”するために、該携帯電話５１０を介して固有のユーザ入力を供給することができる。
【００９６】
［０１１１］幾つかの実施態様において、図１２Ａの光出力１２３４Ａの形状は図１１Ａ及び１１Ｂを参照して説明したように定めることができる。幾つかの実施態様において、該形状は、事前に定められた形状を選択することにより、及び／又は携帯電話５１０上で動作する照明制御アプリケーションを介して新たな形状を発生することにより定めることができる。
【００９７】
［０１１２］図１３Ａ及び図１３Ｂを参照すると、ＬＥＤ１３３２Ａにより生成される光出力１３３４Ａは、ＬＥＤ１３３２Ｂ（ＬＥＤ１３３２Ａの幾つか又は全てを含むことができる）により生成される光出力１３３４Ｂにより置き換えられる。光出力１３３４Ｂは、光出力１３３４Ａより広いビーム幅を有し、携帯電話５１０の第１水平位置（図１３Ａ）から第２水平位置（図１３Ｂ）へのユーザによる移動に基づいて発生することができる。図１３Ａに示されるように、携帯電話５１０をＬＥＤ１３３２Ａにより生成される光出力１３３４Ａの縁部まで移動させることができ、該光出力１３３４Ａを感知するために該携帯電話５１０のカメラを使用することができる。幾つかの実施態様において、光出力１３３４ＡはオプションとしてＬＥＤ１３３２Ａに固有の符号化光出力とすることができる。携帯電話５１０は、該携帯電話が光出力１３３４Ａを感知していることを示すユーザジェスチャデータを供給することができる。次いで、ユーザは該携帯電話５１０を図１３Ｂに示されるように他の位置へ移動させることができる。幾つかの実施態様において、携帯電話５１０のユーザは光出力１３３４Ａを“捕らえる”ために該携帯電話５１０を介して固有のユーザ入力を供給し、次いで該携帯電話５１０の図１３Ｂにおける位置への移動を行うことができる。該ユーザ入力は照明コントローラへ、携帯電話５１０が新たな向きへと移動されることを示すと共に、照明が該新たな位置に基づくビーム幅で供給されるべきであることを示すために供給することができる。
【００９８】
［０１１３］携帯電話５１０が図１３Ｂの新たな位置へ移動されることを示すユーザジェスチャデータは、携帯電話５１０のＧＰＳ若しくは他の位置センサ及び／又は該携帯電話５１０のカメラ等の１以上のセンサに基づくものであり得る。例えば、上記位置センサを当該携帯電話が移動された距離を決定するために使用することができ、この距離の指示情報がユーザジェスチャデータにより供給される。該示された距離及びＬＥＤのマッピングに基づいて、照明コントローラは追加のＬＥＤを活性化して、該距離まで延びる面積を有する光出力１３３４Ｂを供給することができる。また、例えば、面１３０５上の各ＬＥＤは符号化光出力を生成することができ、生成される各符号化光出力は該面１３０５上のＬＥＤの１以上に固有のものとする。携帯電話５１０の上記カメラはＬＥＤ面１３０５に向けることができ、該携帯電話５１０は、該カメラからの入力に基づいて、図１３Ｂの位置における最大強度の符号化光出力を決定することができる。該携帯電話５１０により、図１３Ｂの位置における最大強度の符号化光出力を示すユーザジェスチャデータを供給することができる。このようなユーザジェスチャデータに基づいて、照明コントローラは、上記のような符号化光出力に対応するＬＥＤと同様の距離におけるＬＥＤが活性化されると共に斯様なＬＥＤの内側に位置するＬＥＤが活性化されるように図１３Ｂの光出力１３３４Ｂを発生することができる。同様の距離における上記ＬＥＤ及び／又は斯様なＬＥＤの内側に位置する上記ＬＥＤは、例えば、照明コントローラによりアクセス可能なＬＥＤのマッピングに基づいて識別することができる。
【００９９】
［０１１４］ビーム幅を制御する更なる及び／又は代わりの方法は、携帯電話５１０を水平の代わりに垂直に移動させることによるものであり得る。例えば、図１４Ａ及び図１４Ｂを参照すると、ＬＥＤ１４３２Ａにより生成される光出力１４３４Ａは、ＬＥＤ１４３２Ｂ（ＬＥＤ１４３２Ａの幾つか又は全てを含むことができる）により生成される光出力１４３４Ｂにより置き換えられる。光出力１４３４Ｂは、より広いビーム幅を有し、携帯電話５１０の第１垂直位置（図１４Ａ）から第２垂直位置（図１４Ｂ）へのユーザによる移動に基づいて発生することができる。例えば、携帯電話５１０を図１４Ａに示されるように相対的に低く位置させることは、光出力１４３４Ａのような狭いビームが発生されるようにさせ得る一方、該携帯電話を図１４Ｂに示されるようにＬＥＤ面１４０５に一層近い上方に垂直に移動させることは、光ビームを光出力１４３４Ｂに示されるように徐々に拡幅させ得る。幾つかの実施態様において、携帯電話５１０が上及び／又は下に移動されることを示すユーザジェスチャデータは、該携帯電話５１０の方位センサからの入力に基づくものであり得る。幾つかの実施態様において、携帯電話５１０が上及び／又は下に移動されることを示すユーザジェスチャデータは、該携帯電話５１０のカメラセンサからの入力に基づくものであり得る。例えば、第１垂直位置の上記カメラからの画像を第２垂直位置からの該カメラの画像と比較して、上下運動の量を決定することができる（例えば、特定の基準物体の大きさ及び／又は位置を比較することにより）。
【０１００】
［０１１５］図１５Ａ及び図１５Ｂを参照すると、ＬＥＤ１５３２Ａにより生成される第１カラーの光出力１５３４Ａは、携帯電話５１０の第１の向き（図１５Ａ）から第２の向き（図１５Ｂ）へのユーザによる動きに基づいてＬＥＤ１５３２Ｂ（ＬＥＤ１５３２Ａの幾つか又は全てを含むことができる）により生成される第２カラーの光出力１５３４Ｂにより置き換えられる。図１５Ａに示されるように、携帯電話５１０は、ＬＥＤ１５３２Ａにより生成される光出力１５３４Ａの外部であるが該光出力の近傍に移動させることができる。携帯電話５１０及びＬＥＤ１５３２Ａは、前記ステップ２００で説明したように互いに関連付けることができる（例えば、ＮＦＣ通信）。図１５Ａにおいて、当該携帯電話の向きは第１方位であり、当該光出力は第１カラーを定めるものである。次いで、ユーザは該携帯電話５１０を、図１５Ｂに示されるように上記第１回転方位から約９０度ずらされた第２方位へと動かすことができる。携帯電話５１０の方位を示すユーザジェスチャデータは、該携帯電話５１０により照明コントローラに供給することができる。幾つかの実施態様において、携帯電話５１０が図１５Ａ及び／又は図１５Ｂの方位であることを示す該ユーザジェスチャデータは、該携帯電話５１０の方位センサからの入力に基づいたものであり得る。幾つかの実施態様において、携帯電話５１０が図１５Ａ及び／又は図１５Ｂの方位であることを示す該ユーザジェスチャデータは、該携帯電話５１０のカメラセンサからの入力に基づくものであり得る。例えば、図１５の位置の上記カメラからの画像を図１５Ｂの位置からの該カメラの画像と比較して、図１５Ａから図１５Ｂへの当該携帯電話の方位の変化を決定することができる。
【０１０１】
［０１１６］図１５Ｂにおいて、光出力１５３４Ｂは、図１５Ａの光出力１５３４Ａの第１カラーとは異なる第２カラーを有する光出力である。幾つかの実施態様において、携帯電話５１０のユーザは光出力１５３４Ａを“捕らえる”ために該携帯電話５１０を介して固有のユーザ入力を供給し、次いで該携帯電話５１０の図１５Ｂにおける向きへの動きを行うことができる。上記ユーザ入力は照明コントローラへ、携帯電話５１０が新たな向きへと動かされることを示すと共に、該新たな向きに基づくカラーを有する照明が供給されるべきであることを示すために供給することができる。幾つかの実施態様において、携帯電話５１０のユーザは、光出力１５３４Ｂを“固定”するために、該携帯電話５１０を介して固有のユーザ入力を供給することができる。幾つかの実施態様において、図１５Ａ及び図１５Ｂに示されたのと同様の方法で、色温度を調整することもできる。
【０１０２】
［０１１７］幾つかの実施態様において、携帯電話５１０上で動作する照明制御アプリケーションは、カラーホイールの選択を可能にして、該カラーホイールに対応したカラーの変更を可能にすることができる。例えば、携帯電話５１０を該携帯電話５１０上に表示されるカラーホイール上の所望のカラーに向かって所望の方向に回転し、該カラーホイール上の上記方向のカラーを生成するようにすることができる。幾つかの実施態様においては、特定の範囲のカラー及び／又は色温度の調整を、携帯電話５１０を介して選択することができる。例えば、完全カラーホイール、微調整されたカラーホイール及び／又は白色光を制御する（例えば、冷から暖）ための色温度ホイール等の複数のカラーホイールから或るカラーホイールを選択することができる。
【０１０３】
［０１１８］幾つかの実施態様において、複数の照明効果特性を携帯電話５１０の動きを介して制御することができる。例えば、図１６Ａ及び図１６Ｂに示されるように、ＬＥＤ１６３２Ａにより生成される第１ビーム幅及び第１ビーム角の光出力１６３４Ａが、ＬＥＤ１６３２Ｂ（ＬＥＤ１６３２Ａの幾つか又は全てを含むことができる）により生成される第２ビーム幅及び第２ビーム角の光出力１６３４Ｂにより置き換えられる。上記ビーム角は、例えば図９Ａ及び図９Ｂを参照して説明したようにして、携帯電話５１０の第１方位（図１６Ａ）から第２方位（図１６Ｂ）へのユーザによる動きに基づいて調整される。上記ビーム幅は、例えば図１４Ａ及び図１４Ｂを参照して説明したようにして、携帯電話５１０の第１垂直位置（図１６Ａ）から第２垂直位置（図１６Ｂ）へのユーザによる移動に基づいて調整される。複数の照明効果の更なる及び／又は代わりの制御も達成することができ、オプションとして３以上の照明効果の制御を含むこともできる。
【０１０４】
［０１１９］図３を参照すると、照明を調整するためにユーザジェスチャデータを少なくとも１つの照明コントローラに供給する例示的方法のフローチャートが示されている。他の構成例は、当該ステップを異なる順序で実行し、特定のステップを省略し、及び／又は図３に示されるものとは異なる及び／又は追加のステップを実行することができる。便宜的に、図３の態様を、当該方法を実行することができる１以上の構成要素を参照して説明する。これら構成要素は、例えば、図１のモバイル計算装置及び／又は図５Ａ〜図１５Ｂのモバイル計算装置５１０の１つを含むことができる。従って、便宜上、図１及び図５Ａ〜図１５Ｂの態様を図３に関連して説明する。
【０１０５】
［０１２０］ステップ３００において、照明コントローラとの接続が確立される。例えば、モバイル計算装置１１０は照明コントローラ１２０との接続を確立することができる。該接続は、携帯電話１１０における照明システム１００からのデータ（例えば、接続開始データ）の受信に基づいて、及び／又は携帯電話１１０から照明システム１００へデータを供給することに基づいて確立することができる。ステップ３００は、図２の方法におけるステップ２００と１以上の態様を共有することができる。
【０１０６】
［０１２１］ステップ３０５において、物理的移動データが少なくとも１つのセンサを介して識別される。例えば、モバイル計算装置１１０のセンサ１１２に関連して説明した１以上のセンサからの、ユーザによる該モバイル計算装置１１０の１以上の物理的移動を示すデータを受信することができる。また、例えば、図５Ａ〜図１５Ｂにおける携帯電話５１０に関連して説明した１以上のセンサからの、モバイル計算装置５１０の物理的移動を示すデータが受信され得る。これらセンサは、例えば、カメラ、磁場感知トランスジューサ（例えば、ホール効果センサ）、及び／又は方位センサ（例えば、磁力計、ジャイロコンパス、ジャイロスコープ；加速度計；三軸電子コンパス）を含むことができる。
【０１０７】
［０１２２］ステップ３１０において、ユーザジェスチャデータがステップ３０５において識別された物理的移動データに基づいて決定される。幾つかの実施態様において、該ユーザジェスチャデータは、ステップ３０５において前記少なくとも１つのセンサを介して識別された生の物理的移動データと同一であり得る。幾つかの実施態様において、携帯電話１１０及び／又は５１０は該ユーザジェスチャデータを処理して、改良されたユーザジェスチャデータを発生することができる。例えば、当該携帯電話上で動作する照明制御アプリケーションを、上記物理的移動データを所望のフォーマットに変換するために使用することができる。例えば、方位センサからの物理的移動データを、携帯電話の調整された向きを示す所定の８ビットコードに変換することができる。また、例えば、上記物理的移動データは携帯電話のカメラセンサを介してキャプチャされた複数の画像を含むことができ、これら画像を解析して、該画像の解析に基づいた当該携帯電話の動きを示すユーザジェスチャデータを決定することができる。例えば、連続する画像内の１以上の基準被写体を解析して、斯かる基準被写体の位置及び／又は大きさが変化したかを決定することができ、該決定に基づいて、物理的移動を決定することができると共に、このような物理的移動を示すユーザジェスチャデータも決定することができる。ユーザジェスチャデータは、図５Ａ〜図１４Ｂに関連して本明細書で説明したもののようなユーザジェスチャデータを含むことができる。
【０１０８】
［０１２３］ステップ３１５において、上記ユーザジェスチャデータは、該ユーザジェスチャデータに基づいて１以上の照明調整を実施するために照明コントローラに供給される。例えば、当該ユーザジェスチャデータがステップ３０５において少なくとも１つのセンサを介して識別された生の物理的移動データと同一である場合、該ユーザジェスチャデータは照明コントローラに供給することができ、該照明コントローラは該ユーザジェスチャデータをオプションとして更に処理することができる。該照明コントローラにより実施される照明特性調整は、図５Ａ〜図１５Ｂを参照して本明細書で説明したもののような１以上の照明特性調整（例えば、照明の輝度、カラー、色温度、ビーム幅及び／又はビーム方向等）を含むことができる。
【０１０９】
［０１２４］図４を参照すると、モバイル計算装置からの入力を介して照明を調整する他の例示的方法のフローチャートが示されている。他の構成例は、当該ステップを異なる順序で実行し、特定のステップを省略し、及び／又は図４に示されるものとは異なる及び／又は追加のステップを実行することができる。便宜的に、図４の態様を、当該方法を実行することができる照明システムの１以上の構成要素を参照して説明する。これら構成要素は、例えば、図１の照明システムの構成要素の１以上及び／又は図５Ａ〜図１５Ｂの１以上の構成要素を含むことができる。従って、便宜上、図１及び図５Ａ〜図１５Ｂの態様を図４に関連して説明する。
【０１１０】
［０１２５］ステップ４００において、モバイル計算装置との接続が確立される。例えば、照明コントローラ１２０は、モバイル計算装置１１０との接続を確立することができる。幾つかの実施態様において、接続は、ユーザのモバイル計算装置１１０に対する行動に応答して確立することができる。幾つかの実施態様において、該ユーザの行動は、特に、該ユーザが制御したい１以上のＬＥＤのグループに向けられたものであり得る。ステップ４００は、図２の方法におけるステップ２００及び／又は図３の方法におけるステップ３００と１以上の態様を共有することができる。
【０１１１】
［０１２６］ステップ４０５において、第１基準出力及び第２基準出力が供給される。幾つかの実施態様において、該第１及び第２基準出力は第１及び第２光出力を含むことができる。これら実施態様のうちの幾つかにおいて、第１及び第２光出力は、各々、固有の符号化光出力であり得る。
【０１１２】
［０１２７］例えば、図７Ａ及び図７Ｂを参照すると、光出力７３４Ａは第１基準出力であり得る一方、光出力７３４Ｂは第２基準出力であり得る。光出力７３４Ａ及び７３４Ｂは、ＬＥＤグループ７３２Ａ及び７３２Ｂの各々に固有な符号化光出力であり得る。また、例えば、光出力７３４Ａは第１期間の間に供給され得る一方、光出力７３４Ｂは第２期間の間に供給され得る。第１期間の幾つかの少なくとも一部は、第２期間の幾つかの少なくとも一部と重ならないようにすることができる。
【０１１３】
［０１２８］ステップ４１０において、モバイル計算装置が上記第１基準出力及び第２基準出力を受けることに応答して該モバイル計算からデータが受信される。例えば、照明コントローラ１２０が、モバイル計算装置１１０から上記データを受信し得る。該データは、ステップ４００において照明コントローラ１２０とモバイル計算装置１１０との間で確立された接続を介して供給され得る。該データは、モバイル計算装置１１０から、該モバイル計算装置１１０の１以上のセンサ１１２を介して受けた入力に基づいて受信され得る。例えば、図７Ａを参照すると、携帯電話５１０は、該携帯電話５１０の位置において該携帯電話５１０のカメラを介して光出力７３４Ａ及び７３４Ｂの各々から受ける光出力の強度を示すデータを供給することができる。図７Ａにおいて光出力７３４Ａ及び７３４Ｂにより同様の光出力強度が供給されると仮定すると、図７の位置において携帯電話５１０により受光される光出力７３４Ａに対応する光出力の輝度は、該携帯電話５１０により受光される光出力７３４Ｂに対応する光出力の輝度よりも大きい。携帯電話５１０により照明コントローラに供給されるユーザジェスチャデータは、このことを示すことができる。幾つかの実施態様において、上記データは、モバイル計算装置１１０により図３のステップ３１０に関して説明したように決定することができる。
【０１１４】
［０１２９］ステップ４１５において、少なくとも１つの照明特性調整が、上記の受信されたデータに基づいて決定される。例えば、１以上のＬＥＤにより供給される光出力の輝度、カラー、ビーム幅及び／又はビーム方向の照明特性調整を、上記受信されたデータに基づいて決定することができる。ステップ４２０において、ステップ４１５において決定された照明特性調整が実施される。例えば、照明コントローラは当該照明特性調整を、１以上のＬＥＤを活性化し、１以上のＬＥＤを非活性化し、１以上のＬＥＤの光出力特性（例えば、カラー、輝度、色温度）を変更し、及び／又は１以上のＬＥＤに関連する１以上の機械的及び／又は電気的光学構造を変化させる（例えば、１以上のＬＥＤに関連する光学レンズを配置し直す、１以上の光学レンズの光学特性を変化させる）ことにより実施することができる。
【０１１５】
［０１３０］例えば、照明コントローラは光出力７３４Ｂのビーム角を、携帯電話５１０上での該光出力７３４Ｂの強度を増加させるように調整することができる。例えば、光出力７３４Ｂのビーム角を、携帯電話５１０からの更なるデータが、受光される光出力の光出力７３４Ｂに対応する強度が閾値強度を満足することを示すまで調整することができる。幾つかの実施態様において、上記閾値強度は光出力７３４Ａから受光される光出力の強度に基づくものとすることができる（例えば、光出力７３４Ａの強度の或るパーセンテージ）。幾つかの実施態様において、上記閾値強度は光出力７３４Ｂから受ける光出力の複数の強度測定値に基づくものとすることができる。ステップ４２０は、図２の方法におけるステップ２１５と１以上の態様を共有することができる。図４の特定の例は図７Ａに関連して提示されたが、第１及び第２基準出力に応答して受信されるモバイル計算装置からのデータに基づく照明特性調整の更なる例も、ここに記載されていると理解される。例えば、第１及び第２基準出力（例えば、第１及び第２符号化光）に基づく携帯電話からのユーザジェスチャデータの例、並びに斯様なユーザジェスチャデータを利用して当該携帯電話の動きを決定すると共に斯様に決定された動きに基づいて光出力を調整する例も、ここに提示されるものである。
【０１１６】
［０１３１］幾つかの実施態様において、照明コントローラはユーザに対して、該ユーザが本明細書で説明される１以上の方法に従いモバイル計算装置を介して光出力を調整している場合にフィードバックを供給することができる。フィードバックは、例えば、視覚的、可聴的及び／又は触覚的なものであり得る。例えば、フィードバックは、モバイル計算装置を介して供給されたユーザジェスチャデータに従って光出力を調整することができない場合を示すために供給することができる。例えば、ユーザジェスチャデータは、特定のＬＥＤ型照明ユニットの構成によっては達成することができないビーム角での光出力の要求を示し得るところ、フィードバックを、斯様な光出力を達成することができないことを示すために供給することができる。例えば、照明コントローラは当該モバイル計算装置にフィードバックコマンドを供給して、当該光出力が有効範囲の限界に達した場合に該モバイル計算装置がユーザに聴覚的（例えば、ビープ音）、触覚的（例えば、振動）及び／又は視覚的（例えば、メッセージ）出力を介して警告するようにさせることができる。例えば、フィードバックコマンドは、当該光出力が最大ビーム角、最小光強度、最大光強度、最小ビームサイズ及び／又は最大ビームサイズに達した場合に供給することができる。
【０１１７】
［０１３２］また、例えば、前記ＬＥＤ型照明ユニットがフィードバックを供給することもできる。例えば、該ＬＥＤ型照明ユニットは有色光出力を生成することができ、このような有色光出力を、光出力を実現することができないとの目立つ視覚的フィードバックをユーザに供給するために使用することができる。また、例えば、該ＬＥＤ型照明ユニットのＬＥＤを繰り返し点滅させて、光出力を実現することができないとの視覚的フィードバックをユーザに供給することができる。また、例えば、聴覚的フィードバックを該ＬＥＤ型照明ユニットのスピーカを介して供給し、光出力を実現することができないとの聴覚的フィードバックをユーザに供給することもできる。
【０１１８】
［０１３３］光出力が積極的に調整されていることを示すために、フィードバックをユーザに、更に及び／又は代わりに、供給することもできる。例えば、モバイル計算装置を介しての光出力調整が開始する場合、及び／又は光出力調整が行われている間に、該調整されるべき光出力を特定のＲＧＢカラーに切り換えることができる。また、例えば、モバイル計算装置を介しての光出力調整が開始する場合、及び／又は光出力調整が行われている間に、該モバイル計算装置を介してユーザに聴覚的、視覚的及び／又は触覚的フィードバックを供給することもできる。幾つかの実施態様において、光出力の調整が完了したことを示すために、フィードバックをユーザに、更に及び／又は代わりに供給することもできる。例えば、光出力調整が完了した後、当該ビームはモバイル計算装置のスクリーン上のユーザインターフェースエレメントにより固定することができ、次いで、当該光出力は特定のＲＧＢ調整カラーから初期の白色の照明効果に戻ることができる。
【０１１９】
［０１３４］幾つかの実施態様において、当該光出力調整がユーザにとり満足のゆくものとなった場合、該ユーザは当該スマートフォンとＬＥＤアレイとの間のアドホック接続を終了したいかも知れない。このことは、基本的なタイムアウト機能を使用して実行することができる。例えば、照明効果が１分以上制御されていない場合、当該アドホック接続は終了される。幾つかの実施態様において、当該接続を終了させるために明示的なユーザ行動を用いることもできる。例えば、モバイル計算装置上のボタン若しくはユーザインターフェースエレメントを作動させることにより、及び／又はモバイル計算装置上の照明制御アプリケーションを閉じることにより、ステップ２００及び／又は３００に関連して説明したもののような他のＮＦＣジェスチャを行う。
【０１２０】
［０１３５］以上、本発明の幾つかの本発明実施態様を本明細書において説明及び図示したが、当業者であれば、ここに説明した機能を実行し、及び／又はここで述べた結果及び／又は利点の1以上を得るための種々の他の手段及び／又は構成に容易に想到するであろう。このような変更及び／又は修正の各々は、ここに述べた本発明の実施態様の範囲内であると見なされる。もっと一般的に言うと、当業者であれば、ここに述べた全てのパラメータ、寸法、材料及び構成は例示的なものであることを意味し、実際のパラメータ、寸法、材料及び／又は構成は、本発明の教示が用いられる特定の用途に依存するであろうことを容易に理解するであろう。当業者であれば、ここで述べた本発明の特定の実施態様に対する多くの均等物を認識し、又は通例の実験を用いるだけで確認することができるであろう。従って、上述した実施態様は例示としてのみ提示されたものであり、添付請求項及びその均等物の範囲内で、本発明の実施態様は、特定的に説明及び請求項に記載したもの以外で実施することができると理解されるべきである。本開示の発明的実施態様は、ここで述べた各フィーチャ、システム、物品、材料、キット及び／又は方法に向けられたものである。更に、２以上の斯様なフィーチャ、システム、物品、材料、キット及び／又は方法の任意の組み合わせは、このようなフィーチャ、システム、物品、材料、キット及び／又は方法が相互に矛楯しないならば、本開示の発明の範囲内に含まれるものである。
【０１２１】
［０１３６］ここで定められ及び使用された全ての定義は、辞書の定義、参照により組み込まれた文献における定義及び／又は定義された用語の通常の意味を規制すると理解されるべきである。
【０１２２】
［０１３７］本明細書及び請求項で使用される単数形は、そうでないと明示しない限り、“少なくとも１つの”を意味すると理解されるべきである。
【０１２３】
［０１３８］本明細書及び請求項において使用された“及び／又は”なる語句は、そのように結合されたエレメントの“何れか又は両方”、即ち或る場合には連接的に存在し、他の場合には離接的に存在するエレメントを意味すると理解されるべきである。“及び／又は”で列挙された複数のエレメントは、同様に、即ちそのように結合されたエレメントの“１以上”であると見なされたい。“及び／又は”なる文により固有に識別されたエレメント以外の他のエレメントも、これらの固有に識別されたエレメントに関係するか関係しないかによらず、オプションとして存在することもできる。従って、限定するものではない例として、“有する”なる非制限的文言と一緒に使用される場合、“Ａ及び／又はＢ”なる言及は、一実施態様ではＡのみ（オプションとして、Ｂ以外のエレメントを含む）を、他の実施態様ではＢのみ（オプションとしてＡ以外のエレメントを含む）を、更に他の実施態様ではＡ及びＢの両方（オプションとして他のエレメントを含む）を、指す等となり得る。
【０１２４】
［０１３９］本明細書及び請求項で使用される場合、１以上のエレメントのリストを参照する“少なくとも１つの”なる語句は、該エレメントのリストにおけるエレメントの何れか１以上から選択された少なくとも１つのエレメントを意味するものであり、該エレメントのリスト内の各及び全エレメントの少なくとも１つを必ずしも含むものではなく、該エレメントのリスト内のエレメントの任意の組み合わせを除くものではないと理解されるべきである。この定義は、上記“少なくとも１つの”なる語句が参照する上記エレメントのリスト内で固有に識別されるエレメント以外のエレメントが、上記の固有に識別されたエレメントに関係するか又は関係しないかに拘わらず、オプションとして存在することも可能にする。
【０１２５】
［０１４０］明確にそうでないと示さない限り、請求項に記載された２以上のステップ又は動作を含む如何なる方法においても、該方法のステップ又は動作の順序は、これらステップ又は動作が記載された順序に必ずしも限定されるものではないと理解されるべきである。また、請求項における括弧内の符号は、便宜のためにのみ設けられたものであり、当該請求項を如何なる形でも限定するものと見なしてはならない。
【０１２６】
［０１４１］請求項及び上記明細書において、“有する”、“含む”、“担持する”、“持つ”、“収容する”、“伴う”、“保持する”及び“からなる”等の全ての移行句は非制限的であると、即ち含むが限定されるものではないことを意味すると理解されるべきである。“からなる”及び“から本質的になる”なる移行句のみが、各々、制限的又は半制限的移行句である（米国特許庁の特許審査手順マニュアル、第2111.03節に記載されているように）。
【図１】
0006388643.tif 000002
【図２】
0006388643.tif 000003
【図３】
0006388643.tif 000004
【図４】
0006388643.tif 000005
【図５Ａ】
0006388643.tif 000006
【図５Ｂ】
0006388643.tif 000007
【図６Ａ】
0006388643.tif 000008
【図６Ｂ】
0006388643.tif 000009
【図７Ａ】
0006388643.tif 000010
【図７Ｂ】
0006388643.tif 000011
【図８Ａ】
0006388643.tif 000012
【図８Ｂ】
0006388643.tif 000013
【図９Ａ】
0006388643.tif 000014
【図９Ｂ】
0006388643.tif 000015
【図１０Ａ】
0006388643.tif 000016
【図１０Ｂ】
0006388643.tif 000017
【図１１Ａ】
0006388643.tif 000018
【図１１Ｂ】
0006388643.tif 000019
【図１２Ａ】
0006388643.tif 000020
【図１２Ｂ】
0006388643.tif 000021
【図１３Ａ】
0006388643.tif 000022
【図１３Ｂ】
0006388643.tif 000023
【図１４Ａ】
0006388643.tif 000024
【図１４Ｂ】
0006388643.tif 000025
【図１５Ａ】
0006388643.tif 000026
【図１５Ｂ】
0006388643.tif 000027
【図１６Ａ】
0006388643.tif 000028
【図１６Ｂ】
0006388643.tif 000029